(57)【要約】  ワイヤレス通信のための方法、システム、およびデバイスについて説明する。一態様では、ワイヤレス通信の方法が、レガシープリアンブル部分と、非レガシー部分と、拡張部分とを有する物理レイヤプリアンブルを備えるヌルデータパケット（ＮＤＰ）フレームを生成することを含み、ここにおいて、拡張部分が、高効率（ＨＥ）信号情報とパディング波形とからなるグループからのものである。本方法は、ＮＤＰフレームを送信することをさらに含む。
2018521530.tif 000002
【特許請求の範囲】
【請求項１】
ワイヤレス通信のための方法であって、
レガシープリアンブル部分と、非レガシー部分と、拡張部分とを有する物理レイヤプリアンブルを備えるヌルデータパケット（ＮＤＰ）フレームを生成することと、ここにおいて、前記拡張部分が、高効率（ＨＥ）信号情報とパディング波形とからなるグループからの１つのメンバーである、
前記ＮＤＰフレームを送信することと
を備える、方法。
【請求項２】
前記ＮＤＰフレームを受信することを意図された局に少なくとも部分的に基づいて、前記拡張部分の持続時間を決定すること
をさらに備え、
ここにおいて、前記ＮＤＰフレームが、前記ＮＤＰフレームを受信することを意図された前記局によって処理されるべきであるとき、前記ＮＤＰフレームの前記拡張部分が、ショートフレーム間スペース（ＳＩＦＳ）に対して、前記ＮＤＰフレームを処理するために十分な、推定された追加の時間を与えるために、前記局によって使用されるべきある、
請求項１に記載の方法。
【請求項３】
前記拡張部分の前記持続時間を決定することが、
前記ＮＤＰフレームを受信することを意図された前記少なくとも１つの局に関連するＩＥＥＥ８０２．１１物理レイヤ仕様に少なくとも部分的に基づいて、前記拡張部分の前記持続時間を決定すること
をさらに備える、請求項２に記載の方法。
【請求項４】
前記ＮＤＰフレームを生成することが、
前記ＮＤＰフレームに応答して与えられるべきチャネル状態情報（ＣＳＩ）応答のためのＣＳＩパラメータを決定することと、
前記ＣＳＩパラメータの指示を前記ＮＤＰフレーム中に含めることと
を備える、請求項１に記載の方法。
【請求項５】
前記ＮＤＰフレームを生成することが、
前記ＮＤＰフレームを受信することを意図された少なくとも１つの局のための制御情報を決定することと、
前記制御情報を前記ＮＤＰフレーム中に含めることと
をさらに備える、請求項１に記載の方法。
【請求項６】
前記制御情報は、前記フレームがＮＤＰフレームであるという指示を備える、請求項５に記載の方法。
【請求項７】
前記ＮＤＰフレームがＨＥ信号フィールドを含み、ここにおいて、前記ＨＥ信号フィールド中の少なくとも１ビットは、前記フレームがＮＤＰフレームであることを示す、請求項６に記載の方法。
【請求項８】
前記フレームがＮＤＰフレームであるという前記指示が、レガシー信号フィールド中の長さインジケータの値を備える、請求項６に記載の方法。
【請求項９】
前記ＮＤＰフレームを生成することが、
ＨＥ−ＳＩＧ−Ａとして指定される第１のＨＥ信号フィールドと、前記第１の信号フィールドとは異なる第２のＨＥ信号フィールドとを含むように、前記非レガシー部分を生成すること
を備える、請求項１に記載の方法。
【請求項１０】
前記ＮＤＰフレームを生成することが、
少なくとも１つの局のための制御情報を決定することと、
前記制御情報を前記第１のＨＥ信号フィールド中に含めることと
をさらに備える、請求項９に記載の方法。
【請求項１１】
前記ＮＤＰフレームを生成することが、
少なくとも１つの局のための制御情報を決定することと、
前記制御情報を前記第２のＨＥ信号フィールド中に含めることと
をさらに備える、請求項９に記載の方法。
【請求項１２】
前記第２のＨＥ信号フィールドがＨＥショートトレーニングフィールド構造を備える、請求項９に記載の方法。
【請求項１３】
前記第２のＨＥ信号フィールドがＨＥロングトレーニングフィールド構造を備える、請求項９に記載の方法。
【請求項１４】
前記ＨＥロングトレーニングフィールド構造中の少なくともＨＥロングトレーニングフィールドの数に少なくとも部分的に基づいて、前記拡張部分の持続時間を決定すること
をさらに備える、請求項１３に記載の方法。
【請求項１５】
前記物理レイヤプリアンブルの前記レガシー部分中の少なくとも長さフィールドに少なくとも部分的に基づいて、前記拡張部分の持続時間を決定することをさらに備え、ここにおいて、前記長さフィールドが、前記ＨＥロングトレーニングフィールド構造中のＨＥロングトレーニングフィールドの数に少なくとも部分的に基づく、
請求項１３に記載の方法。
【請求項１６】
前記第２のＨＥ信号フィールドが、前記ＮＤＰフレームに対する応答のためのアップリンクマルチユーザリソースの割振りの指示を備える、請求項９に記載の方法。
【請求項１７】
前記第２のＨＥ信号フィールドが、チャネル状態情報の局ごとのパラメータ表示に関連する情報を備える、請求項９に記載の方法。
【請求項１８】
前記拡張部分がパディング波形であり、前記パディング波形が、前記第２のＨＥ信号フィールドとは異なる第３のＨＥ信号フィールドを備える、請求項９に記載の方法。
【請求項１９】
前記第３のＨＥ信号フィールドが、前記ＮＤＰフレームに対する応答のためのアップリンクマルチユーザリソースの割振りを備える、請求項１８に記載の方法。
【請求項２０】
前記第３のＨＥ信号フィールドが、チャネル状態情報の局ごとのパラメータ表示を備える、請求項１８に記載の方法。
【請求項２１】
前記ＮＤＰフレームを前記送信することが、
２０ＭＨｚチャネル上の単一の空間ストリームとして前記第３のＨＥ信号フィールドを送信すること
をさらに備える、請求項１８に記載の方法。
【請求項２２】
前記ＮＤＰフレームを前記送信することが、
２つまたはそれ以上の２０ＭＨｚチャネルにわたる複製された空間スチームとして前記第３のＨＥ信号フィールドを送信すること
をさらに備える、請求項１８に記載の方法。
【請求項２３】
前記拡張部分は、情報がないパディング波形である、請求項１に記載の方法。
【請求項２４】
前記拡張部分が、物理レイヤ情報を有するパディング波形である、請求項１に記載の方法。
【請求項２５】
前記ＮＤＰフレームを生成することが、ＨＥショートトレーニングフィールドを除外することをさらに備える、請求項１に記載の方法。
【請求項２６】
前記拡張部分の持続時間が、前記物理レイヤプリアンブルの前記非レガシー部分中のＨＥ信号フィールド中で示される、請求項１に記載の方法。
【請求項２７】
ＨＥサウンディングプロシージャを示す情報を備えるＮＤＰ告知（ＮＤＰＡ）フレームを生成することと、
前記ＮＤＰフレームを送信するより前に前記ＮＤＰＡフレームを送信することと
をさらに備える、請求項１に記載の方法。
【請求項２８】
通信デバイスであって、
レガシープリアンブル部分と、非レガシー部分と、拡張部分とを有する物理レイヤプリアンブルを備えるヌルデータパケット（ＮＤＰ）フレームを生成するための手段と、ここにおいて、前記拡張部分が、高効率（ＨＥ）信号情報とパディング波形とからなるグループからの１つのメンバーである、
前記ＮＤＰフレームを送信するための手段と
を備える、通信デバイス。
【請求項２９】
前記ＮＤＰフレームを受信することを意図された局に少なくとも部分的に基づいて、前記拡張部分の持続時間を決定すること
をさらに備え、
ここにおいて、前記ＮＤＰフレームが、前記ＮＤＰフレームを受信することを意図された前記局によって処理されるべきであるとき、前記ＮＤＰフレームの前記拡張部分が、ショートフレーム間スペース（ＳＩＦＳ）に対して、前記ＮＤＰフレームを処理するために十分な、推定された追加の時間を与えるために、前記局によって使用されるべきである、
請求項２８に記載の通信デバイス。
【請求項３０】
前記ＮＤＰフレームを生成するための前記手段が、
前記ＮＤＰフレームに応答して与えられるべきチャネル状態情報（ＣＳＩ）応答のためのＣＳＩパラメータを決定するための手段と、
前記ＣＳＩパラメータの指示を前記ＮＤＰフレーム中に含めるための手段と
をさらに備える、請求項２８に記載の通信デバイス。
【請求項３１】
前記ＮＤＰフレームを生成するための前記手段が、
前記ＮＤＰフレームを受信することを意図された少なくとも１つの局のための制御情報を決定するための手段と、
前記制御情報を前記ＮＤＰフレーム中に含めるための手段と
をさらに備える、請求項２８に記載の通信デバイス。
【請求項３２】
前記ＮＤＰフレームを生成するための前記手段が、
ＨＥ−ＳＩＧ−Ａとして指定される第１のＨＥ信号フィールドと、前記第１の信号フィールドとは異なる第２のＨＥ信号フィールドとを含むように、前記非レガシー部分を生成するための手段
を備える、請求項２８に記載の通信デバイス。
【請求項３３】
ＨＥサウンディングプロシージャを示す情報を備えるＮＤＰ告知（ＮＤＰＡ）フレームを生成することと、
前記ＮＤＰフレームを送信するより前に前記ＮＤＰＡフレームを送信することと
をさらに備える、請求項２８に記載の通信デバイス。
【請求項３４】
通信デバイスであって、
プロセッサと、前記プロセッサに通信可能に結合されたメモリと、前記メモリは、前記プロセッサによって実行されたとき、前記通信デバイスに、
レガシープリアンブル部分と、非レガシー部分と、拡張部分とを有する物理レイヤプリアンブルを備えるヌルデータパケット（ＮＤＰ）フレームを生成することを行わせるコンピュータ可読コードを備え、ここにおいて、前記拡張部分が、高効率（ＨＥ）信号情報とパディング波形とからなるグループからの１つのメンバーである、
前記ＮＤＰフレームを送信するための送信機と
を備える、通信デバイス。
【請求項３５】
前記コンピュータ可読コードが、前記プロセッサによって実行されたとき、前記通信デバイスに、
前記ＮＤＰフレームを受信することを意図された局に少なくとも部分的に基づいて、前記拡張部分の持続時間を決定すること
をさらに行わせ、
ここにおいて、前記ＮＤＰフレームが、前記ＮＤＰフレームを受信することを意図された前記局によって処理されるべきであるとき、前記ＮＤＰフレームの前記拡張部分が、ショートフレーム間スペース（ＳＩＦＳ）に対して、前記ＮＤＰフレームを処理するために十分な、推定された追加の時間を与えるために、前記局によって使用されるべきである、
請求項３４に記載の通信デバイス。
【請求項３６】
前記コンピュータ可読コードが、前記プロセッサによって実行されたとき、前記通信デバイスに、
前記ＮＤＰフレームに応答して与えられるべきチャネル状態情報（ＣＳＩ）応答のためのＣＳＩパラメータを決定することと、
前記ＣＳＩパラメータの指示を前記ＮＤＰフレーム中に含めることと
をさらに行わせる、請求項３４に記載の通信デバイス。
【請求項３７】
前記コンピュータ可読コードが、前記プロセッサによって実行されたとき、前記通信デバイスに、
前記ＮＤＰフレームを受信することを意図された少なくとも１つの局のための制御情報を決定することと、
前記制御情報を前記ＮＤＰフレーム中に含めることと
をさらに行わせる、請求項３４に記載の通信デバイス。
【請求項３８】
前記コンピュータ可読コードが、前記プロセッサによって実行されたとき、前記通信デバイスに、
ＨＥ−ＳＩＧ−Ａとして指定される第１のＨＥ信号フィールドと、前記第１の信号フィールドとは異なる第２のＨＥ信号フィールドとを含むように、前記非レガシー部分を生成すること
をさらに行わせる、請求項３４に記載の通信デバイス。
【請求項３９】
前記コンピュータ可読コードが、前記プロセッサによって実行されたとき、前記通信デバイスに、
ＨＥサウンディングプロシージャを示す情報を備えるＮＤＰ告知（ＮＤＰＡ）フレームを生成することと、
前記ＮＤＰフレームを送信するより前に前記ＮＤＰＡフレームを送信するための前記送信機と
をさらに行わせる、請求項３４に記載の通信デバイス。
【請求項４０】
実行されたとき、デバイスに、
レガシープリアンブル部分と、非レガシー部分と、拡張部分とを有する物理レイヤプリアンブルを備えるヌルデータパケット（ＮＤＰ）フレームを生成することと、ここにおいて、前記拡張部分が、高効率（ＨＥ）信号情報とパディング波形とからなるグループからの１つのメンバーである、
前記ＮＤＰフレームを送信することと
を行わせるコンピュータ可読コードを備える、非一時的コンピュータ可読媒体。
【請求項４１】
プロセッサによって実行されたとき、前記デバイスに、
前記ＮＤＰフレームを受信することを意図された局に少なくとも部分的に基づいて、前記拡張部分の持続時間を決定すること
をさらに行わせる前記コンピュータ可読コード、
ここにおいて、前記ＮＤＰフレームが、前記ＮＤＰフレームを受信することを意図された前記局によって処理されるべきであるとき、前記ＮＤＰフレームの前記拡張部分が、ショートフレーム間スペース（ＳＩＦＳ）に対して、前記ＮＤＰフレームを処理するために十分な、推定された追加の時間を与えるために、前記局によって使用されるべきである、
請求項４０に記載の非一時的コンピュータ可読媒体。
【請求項４２】
前記プロセッサによって実行されたとき、前記デバイスに、
前記ＮＤＰフレームに応答して与えられるべきチャネル状態情報（ＣＳＩ）応答のためのＣＳＩパラメータを決定することと、
前記ＣＳＩパラメータの指示を前記ＮＤＰフレーム中に含めることと
をさらに行わせる前記コンピュータ可読コード、請求項４０に記載の非一時的コンピュータ可読媒体。
【請求項４３】
前記プロセッサによって実行されたとき、前記デバイスに、
前記ＮＤＰフレームを受信することを意図された少なくとも１つの局のための制御情報を決定することと、
前記制御情報を前記ＮＤＰフレーム中に含めることと
をさらに行わせる前記コンピュータ可読コード、請求項４０に記載の非一時的コンピュータ可読媒体。
【請求項４４】
前記プロセッサによって実行されたとき、前記デバイスに、
ＨＥ−ＳＩＧ−Ａとして指定される第１のＨＥ信号フィールドと、前記第１の信号フィールドとは異なる第２のＨＥ信号フィールドとを含むように、前記非レガシー部分を生成すること
をさらに行わせる前記コンピュータ可読コード、請求項４０に記載の非一時的コンピュータ可読媒体。
【請求項４５】
前記プロセッサによって実行されたとき、前記デバイスに、
ＨＥサウンディングプロシージャを示す情報を備えるＮＤＰ告知（ＮＤＰＡ）フレームを生成することと、
前記ＮＤＰフレームを送信するより前に前記ＮＤＰＡフレームを送信することと
をさらに行わせる前記コンピュータ可読コード、請求項４０に記載の非一時的コンピュータ可読媒体。
【請求項４６】
ワイヤレス通信のための方法であって、
レガシープリアンブル部分と、非レガシー部分と、拡張部分とを有する物理プリアンブルを備えるヌルデータパケット（ＮＤＰ）フレームを受信することと、ここにおいて、前記拡張部分が、高効率（ＨＥ）信号情報とパディング波形とからなるグループからの１つのメンバーである、
前記ＮＤＰフレームを処理することと
を備える、方法。
【請求項４７】
前記ＮＤＰフレームを処理することが、
ショートフレーム間スペース（ＳＩＦＳ）に対して、前記ＮＤＰフレームを処理するために十分な、推定された追加の時間を与えるために、前記ＮＤＰフレームの前記拡張部分を使用すること
を備える、請求項４６に記載の方法。
【請求項４８】
通信デバイスであって、
プロセッサと、前記プロセッサに通信可能に結合されたメモリとを備え、前記メモリは、前記プロセッサによって実行されたとき、前記通信デバイスに、
レガシープリアンブル部分と、非レガシー部分と、拡張部分とを有する物理プリアンブルを備えるヌルデータパケット（ＮＤＰ）フレームを受信することと、ここにおいて、前記拡張部分が、高効率（ＨＥ）信号情報とパディング波形とからなるグループからの１つのメンバーである、
前記ＮＤＰフレームを処理することと
を行わせるコンピュータ可読コードを備える、通信デバイス。
【請求項４９】
前記プロセッサによって実行されたとき、前記デバイスに、前記ＮＤＰフレームを処理することを行わせる前記コンピュータ可読コードは、前記デバイスに、
ショートフレーム間スペース（ＳＩＦＳ）に対して、前記ＮＤＰフレームを処理するために十分な、推定された追加の時間を与えるために、前記ＮＤＰフレームの前記拡張部分を使用すること
をさらに行わせる、請求項４８に記載の通信デバイス。
【請求項５０】
通信デバイスであって、
レガシープリアンブル部分と、非レガシー部分と、拡張部分とを有する物理プリアンブルを備えるヌルデータパケット（ＮＤＰ）フレームを受信するための手段と、ここにおいて、前記拡張部分が、高効率（ＨＥ）信号情報とパディング波形とからなるグループからの１つのメンバーである、
前記ＮＤＰフレームを処理するための手段と
を備える、通信デバイス。
【請求項５１】
前記ＮＤＰフレームを処理するための前記手段が、
ショートフレーム間スペース（ＳＩＦＳ）に対して、前記ＮＤＰフレームを処理するために十分な、推定された追加の時間を与えるために、前記ＮＤＰフレームの前記拡張部分を使用するための手段
を備える、請求項４８に記載の通信デバイス。
【発明の詳細な説明】
【技術分野】
【０００１】
相互参照
[0001]本特許出願は、各々が本出願の譲受人に譲渡された、２０１５年５月１日に出願された、「Null Data Packet Frame Structure For Wireless Communication」と題する、Ｍｅｒｌｉｎらによる米国仮特許出願第６２／１５６，００５号、および２０１６年４月２８日に出願された、「Null Data Packet Frame Structure For Wireless Communication」と題する、Ｍｅｒｌｉｎらによる米国特許出願第１５／１４１，１１３号の優先権を主張する。
【０００２】
[0002]本開示は、たとえば、ワイヤレス通信システムに関し、より詳細には、ヌルデータパケット（ＮＤＰ）フレームを使用するサウンディングプロシージャに関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。ワイヤレスネットワーク、たとえば、Ｗｉ−Ｆｉ（登録商標）ネットワーク（ＩＥＥＥ８０２．１１）など、ワイヤレスローカルエリアネットワーク（ＷＬＡＮ）は、１つまたは複数の局またはモバイルデバイスと通信し得るアクセスポイント（ＡＰ）を含み得る。ＡＰは、インターネットなど、ネットワークに結合され、モバイルデバイスがネットワークを介して通信すること（および／またはＡＰに結合された他のデバイスと通信すること）を可能にし得る。
【０００４】
[0004]ワイヤレスネットワークにおいて使用されるプロトコルまたは規格は、いくつかのデータフレームと、フレームの構造と、どんなタイプの情報がフレーム中に含まれ得るかとを定義し得る。フレームを追加、削除、または再定義する変更がプロトコルまたは規格に対して行われ得る。一般的なＷｉ−Ｆｉフレームは、物理レイヤヘッダとそれに続くペイロードとを有する。しかしながら、ヌルデータパケット（ＮＤＰ）フレームは、プリアンブルを含み得るが、ペイロードを含まない。とはいえ、ＮＤＰフレームは、ＡＰとワイヤレス局との間で情報を搬送するために、いくつかのタイプのワイヤレスネットワークにおいて使用され得る。いくつかの場合には、ＡＰまたは局は、比較的高い帯域幅を使用して比較的大きい量のデータを送信し得、これは、送信を受信するデバイスにおけるかなりの量の受信処理を必要とし得る。
【０００５】
[0005]しかしながら、従来のＮＤＰフレームは、レガシー部分をも与えながらマルチユーザシステムをサポートするのに十分複雑な構造を与えないことがある。さらに、従来のＮＤＰフレームは、同期および推定フレームを含む、特定の情報のみを搬送し得る。さらに、従来のＮＤＰフレームは、１ＭＨｚ〜１６ＭＨｚの帯域幅への使用に制限され得る。
【発明の概要】
【０００６】
[0006]本明細書は、（たとえば、Ｗｉ−Ｆｉシステムにおける）ヌルデータパケット（ＮＤＰ）フレームを使用するマルチユーザ（ＭＵ）送信に関連するサウンディングプロシージャのための技法を開示する。ＮＤＰフレームは、プリアンブル部分を含むが、ペイロードを含まない、データフレームである。ＮＤＰフレームの構造および機能について本明細書で説明する。ＮＤＰフレームは、非レガシー部分とともにレガシー部分を含むことによって、前の通信規格と後方互換性があり得る。そのような高帯域幅通信のための利用可能な処理時間の量を増加させるための技法は、ショートフレーム間スペース（ＳＩＦＳ）内になど、確立された時間期間内に、そのような受信処理を実施するには不十分な処理能力を有し得るデバイスのために、受信処理を実施し、受信された送信に関するフィードバックを生成および送信するための拡張通信能力を与え得る。ＮＤＰフレームは、いくつかの異なるフィールドのセットまたはサブセットを含み得、異なる帯域幅または空間ストリームにわたって送信され得る。
【０００７】
[0007]ワイヤレス通信の方法について説明する。本方法は、レガシープリアンブル部分と、非レガシー部分と、拡張部分とを有する物理レイヤプリアンブルを備えるＮＤＰフレームを生成することと、ここにおいて、拡張部分は、高効率（ＨＥ）信号情報とパディング波形とからなるグループからの１つのメンバーである、ＮＤＰフレームを送信することとを含み得る。
【０００８】
[0008]通信デバイスについて説明する。本通信デバイスは、レガシープリアンブル部分と、非レガシー部分と、拡張部分とを有する物理レイヤプリアンブルを備えるＮＤＰフレームを生成するための手段と、ここにおいて、拡張部分は、ＨＥ信号情報とパディング波形とからなるグループからの１つのメンバーである、ＮＤＰフレームを送信するための手段とを含み得る。
【０００９】
[0009]さらなる通信デバイスについて説明する。本通信デバイスは、プロセッサ、プロセッサに通信可能に結合されたメモリを含み得る。メモリは、プロセッサによって実行されたとき、本通信デバイスに、レガシープリアンブル部分と、非レガシー部分と、拡張部分とを有する物理レイヤプリアンブルを備えるＮＤＰフレームを生成することを行わせるコンピュータ可読コードを備え得、ここにおいて、拡張部分は、ＨＥ信号情報とパディング波形とからなるグループからの１つのメンバーである。本通信デバイスはまた、ＮＤＰフレームを送信するための送信機を含み得る。
【００１０】
[0010]コンピュータ可読コードを備える非一時的コンピュータ可読媒体について説明する。コンピュータ可読コードは、実行されたとき、デバイスに、レガシープリアンブル部分と、非レガシー部分と、拡張部分とを有する物理レイヤプリアンブルを備えるＮＤＰフレームを生成することと、ここにおいて、拡張部分は、ＨＥ信号情報とパディング波形とからなるグループからの１つのメンバーである、ＮＤＰフレームを送信することとを行わせる。
【００１１】
[0011]上記で説明した方法、デバイス、または非一時的コンピュータ可読媒体のいくつかの例は、ＮＤＰフレームを受信することを意図された少なくとも１つの局に少なくとも部分的に基づいて、拡張部分の持続時間を決定することをさらに含み得る。ＮＤＰフレームの拡張部分は、ショートフレーム間スペース（ＳＩＦＳ）に対して、ＮＤＰフレームを処理するために十分な、推定された追加の時間を与えるために、局によって使用されるべきである。
【００１２】
[0012]上記で説明した方法、デバイス、または非一時的コンピュータ可読媒体のいくつかの例では、拡張部分の持続時間を決定することは、ＮＤＰフレームを受信することを意図された少なくとも１つの局に関連するＩＥＥＥ８０２．１１物理レイヤ仕様に少なくとも部分的に基づいて、拡張部分の持続時間を決定することをさらに備える。
【００１３】
[0013]上記で説明した方法、デバイス、または非一時的コンピュータ可読媒体のいくつかの例では、ＮＤＰフレームを生成することは、ＮＤＰフレームに応答して与えられるべきチャネル状態情報（ＣＳＩ）応答のためのＣＳＩパラメータを決定することと、ＣＳＩパラメータの指示をＮＤＰフレーム中に含めることとをさらに備える。追加または代替として、いくつかの例では、ＮＤＰフレームを生成することは、ＮＤＰフレームを受信することを意図された少なくとも１つの局のための制御情報を決定することと、制御情報をＮＤＰフレーム中に含めることとをさらに備える。いくつかの例では、ＮＤＰフレームがＨＥ信号フィールドを含み、ここにおいて、ＨＥ信号フィールド中の少なくとも１ビットは、フレームがＮＤＰフレームであることを示す。
【００１４】
[0014]上記で説明した方法、デバイス、または非一時的コンピュータ可読媒体のいくつかの例では、ＮＤＰフレームを生成することは、ＨＥ−ＳＩＧ−Ａとして指定される第１のＨＥ信号フィールドと、第１の信号フィールドとは異なる第２のＨＥ信号フィールドとを含むように、非レガシー部分を生成することをさらに備える。追加または代替として、いくつかの例では、ＮＤＰフレームを生成することは、少なくとも１つの局のための制御情報を決定することと、制御情報を第１のＨＥ信号フィールド中に含めることとをさらに備える。
【００１５】
[0015]上記で説明した方法、デバイス、または非一時的コンピュータ可読媒体のいくつかの例では、ＮＤＰフレームを生成することは、少なくとも１つの局のための制御情報を決定することと、制御情報を第２のＨＥ信号フィールド中に含めることとをさらに備える。いくつかの例では、第２のＨＥ信号フィールドは、ＨＥショートトレーニングフィールド構造を備える。他の例では、第２のＨＥ信号フィールドは、ＨＥロングトレーニングフィールド構造を備える。
【００１６】
[0016]上記で説明した方法、デバイス、または非一時的コンピュータ可読媒体のいくつかの例は、ＨＥロングトレーニングフィールド構造中の少なくともＨＥロングトレーニングフィールドの数に少なくとも部分的に基づいて、拡張部分の持続時間を決定することをさらに含み得る。追加または代替として、上記で説明した方法、デバイス、または非一時的コンピュータ可読媒体のいくつかの例は、物理レイヤプリアンブルのレガシー部分中の少なくとも長さフィールドに少なくとも部分的に基づいて、拡張部分の持続時間を決定することをさらに含み得、ここにおいて、長さフィールドは、ＨＥロングトレーニングフィールド構造中のＨＥロングトレーニングフィールドの数に少なくとも部分的に基づく。
【００１７】
[0017]上記で説明した方法、デバイス、または非一時的コンピュータ可読媒体のいくつかの例では、第２のＨＥ信号フィールドは、ＮＤＰフレームに対する応答のためのアップリンクマルチユーザリソースの割振りの指示を備える。他の例では、第２のＨＥ信号フィールドは、チャネル状態情報の局ごとのパラメータ表示に関連する情報を備える。
【００１８】
[0018]上記で説明した方法、デバイス、または非一時的コンピュータ可読媒体のいくつかの例では、拡張部分はパディング波形であり、パディング波形は、第２のＨＥ信号フィールドとは異なる第３のＨＥ信号フィールドを備える。いくつかの例では、第３のＨＥ信号フィールドは、ＮＤＰフレームに対する応答のためのアップリンクマルチユーザリソースの割振りを備える。追加または代替として、他の例では、第３のＨＥ信号フィールドは、チャネル状態情報の局ごとのパラメータ表示を備える。
【００１９】
[0019]上記で説明した方法、デバイス、または非一時的コンピュータ可読媒体のいくつかの例では、ＮＤＰフレームを送信することは、２０ＭＨｚチャネル上の単一の空間ストリームとして第３のＨＥ信号フィールドを送信することをさらに備える。追加または代替として、いくつかの例では、ＮＤＰフレームを送信することは、２つまたはそれ以上の２０ＭＨｚチャネルにわたる複製された空間スチームとして第３のＨＥ信号フィールドを送信することをさらに備える。
【００２０】
[0020]上記で説明した方法、デバイス、または非一時的コンピュータ可読媒体のいくつかの例では、拡張部分は、情報がないパディング波形である。
【００２１】
[0021]上記で説明した方法、デバイス、または非一時的コンピュータ可読媒体のいくつかの例では、拡張部分は、物理レイヤ情報を有するパディング波形である。
【００２２】
[0022]上記で説明した方法、デバイス、または非一時的コンピュータ可読媒体のいくつかの例では、ＮＤＰフレームを生成することは、ＨＥショートトレーニングフィールドを除外することをさらに備える。追加または代替として、いくつかの例では、拡張部分の持続時間が、物理レイヤプリアンブルの非レガシー部分中のＨＥ信号フィールド中で示される。
【００２３】
[0023]上記で説明した方法、デバイス、または非一時的コンピュータ可読媒体のいくつかの例は、ＨＥサウンディングプロシージャを示す情報を備えるＮＤＰ告知（ＮＤＰＡ）フレームを生成することと、ＮＤＰフレームを送信するより前にＮＤＰＡフレームを送信することとをさらに含み得る。
【００２４】
[0024]ワイヤレス通信の方法について説明する。本方法は、レガシープリアンブル部分と、非レガシー部分と、拡張部分とを有する物理レイヤプリアンブルを備えるＮＤＰフレームを受信することと、ここにおいて、拡張部分は、高効率（ＨＥ）信号情報とパディング波形とからなるグループからの１つのメンバーである、ＮＤＰフレームを処理することとを含む。
【００２５】
[0025]通信デバイスについて説明する。本通信デバイスは、レガシープリアンブル部分と、非レガシー部分と、拡張部分とを有する物理レイヤプリアンブルを備えるＮＤＰフレームを受信するための手段と、ここにおいて、拡張部分は、ＨＥ信号情報とパディング波形とからなるグループからの１つのメンバーである、ＮＤＰフレームを処理するための手段とを含み得る。
【００２６】
[0026]さらなる通信デバイスについて説明する。本通信デバイスは、プロセッサ、プロセッサに通信可能に結合されたメモリを含み得る。メモリは、プロセッサによって実行されたとき、本通信デバイスに、レガシープリアンブル部分と、非レガシー部分と、拡張部分とを有する物理レイヤプリアンブルを備えるＮＤＰフレームを受信することと、ここにおいて、拡張部分は、ＨＥ信号情報とパディング波形とからなるグループからの１つのメンバーである、ＮＤＰフレームを処理することとを行わせるコンピュータ可読コードを備え得る。
【００２７】
[0027]コンピュータ可読コードを備える非一時的コンピュータ可読媒体について説明する。コンピュータ可読コードは、実行されたとき、デバイスに、レガシープリアンブル部分と、非レガシー部分と、拡張部分とを有する物理レイヤプリアンブルを備えるＮＤＰフレームを受信することと、ここにおいて、拡張部分は、ＨＥ信号情報とパディング波形とからなるグループからの１つのメンバーである、ＮＤＰフレームを処理することとを行わせる。
【００２８】
[0028]上記で説明した方法、通信デバイス、またはコンピュータ可読媒体のいくつかの例では、ＮＤＰフレームを処理することは、ＳＩＦＳに対して、ＮＤＰフレームを処理するために十分な、推定された追加の時間を与えるために、ＮＤＰフレームの拡張部分を使用することを含む。
【００２９】
[0029]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示および説明のみの目的で提供され、特許請求の範囲の限界を定めるものではない。
【００３０】
[0030]本開示の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、説明は、第２の参照ラベルにかかわらず、同じ第１の参照ラベルを有する同様の構成要素のうちのいずれにも適用可能である。
【図面の簡単な説明】
【００３１】
【図１】[0031]本開示の様々な態様による、ワイヤレス通信システムのブロック図。
【図２】[0032]本開示の様々な態様による、ワイヤレス通信システムにおける例示的なヌルデータパケット（ＮＤＰ）フレーム交換の流れ図。
【図３】[0033]本開示の様々な態様による、例示的なＮＤＰフレームのブロック図。
【図４】[0034]本開示の様々な態様による、ＮＤＰフレームの例示的なレガシープリアンブル部分のブロック図。
【図５Ａ】[0035]本開示の様々な態様による、ＮＤＰフレームの例示的な非レガシーおよび拡張部分のブロック図。
【図５Ｂ】[0036]本開示の様々な態様による、ＮＤＰフレームの別の例示的な非レガシーおよび拡張部分のブロック図。
【図５Ｃ】[0037]本開示の様々な態様による、ＮＤＰフレームの別の例示的な非レガシーおよび拡張部分のブロック図。
【図６】[0038]本開示の様々な態様による、局ごとの部分（per-station portion）をもたないＮＤＰフレームの例示的な非レガシー部分のブロック図。
【図７】本開示の様々な態様による、局ごとの部分をもたないＮＤＰフレームの例示的な非レガシー部分のブロック図。
【図８】[0039]本開示の様々な態様による、４０メガヘルツ（ＭＨｚ）上で送信される例示的なＮＤＰフレームのブロック図。
【図９】[0040]本開示の様々な態様による、８０メガヘルツ（ＭＨｚ）上で送信される例示的なＮＤＰフレームのブロック図。
【図１０】本開示の様々な態様による、８０メガヘルツ（ＭＨｚ）上で送信される例示的なＮＤＰフレームのブロック図。
【図１１】本開示の様々な態様による、８０メガヘルツ（ＭＨｚ）上で送信される例示的なＮＤＰフレームのブロック図。
【図１２】[0041]本開示の様々な態様による、ワイヤレス通信システムにおけるトリガフレームに応答する例示的なＮＤＰフレーム交換の流れ図。
【図１３】[0042]本開示の様々な態様による、トリガフレームに応答して送信される例示的なＮＤＰフレームのブロック図。
【図１４】本開示の様々な態様による、トリガフレームに応答して送信される例示的なＮＤＰフレームのブロック図。
【図１５】[0043]本開示の様々な態様による、例示的なＮＤＰクリアツートランスミット（ＣＴＸ）フレームのブロック図。
【図１６】[0044]本開示の様々な態様による、ＮＤＰフレームの例示的な高効率信号フィールドのブロック図。
【図１７】本開示の様々な態様による、ＮＤＰフレームの例示的な高効率信号フィールドのブロック図。
【図１８】本開示の様々な態様による、ＮＤＰフレームの例示的な高効率信号フィールドのブロック図。
【図１９】[0045]本開示の様々な態様による、ワイヤレス通信において使用するために構成されたデバイスのブロック図。
【図２０】[0046]本開示の様々な態様による、ワイヤレス通信において使用するために構成されたデバイスのブロック図。
【図２１】[0047]本開示の様々な態様による、ワイヤレス通信システムのブロック図。
【図２２】[0048]本開示の様々な態様による、ワイヤレス通信において使用するための装置のブロック図。
【図２３】[0049]本開示の様々な態様による、ワイヤレス通信において使用するための装置のブロック図。
【図２４】[0050]本開示の様々な態様による、ワイヤレス通信において使用するためのワイヤレス局のブロック図。
【図２５】[0051]本開示の様々な態様による、ワイヤレス通信のための例示的な方法を示すフローチャート。
【図２６】本開示の様々な態様による、ワイヤレス通信のための例示的な方法を示すフローチャート。
【図２７】本開示の様々な態様による、ワイヤレス通信のための例示的な方法を示すフローチャート。
【発明を実施するための形態】
【００３２】
[0052]本開示の態様によれば、ヌルデータパケット（ＮＤＰ）フレームは、それが、前のワイヤレス規格と後方互換性があり得、また効率的な様式で情報を提示し得るように、構造化され得る。ＮＤＰフレームは、後方互換性を与えるためのレガシー部分、ならびに新しいワイヤレス規格において使用される情報を含む非レガシー部分を含み得る。前のワイヤレス規格において使用されるＮＤＰフレームは、マルチユーザシステムをサポートするのに十分な構造を含まないことがあり、レガシー部分を含まないことがある。さらに、前のワイヤレス規格において使用されるＮＤＰフレームは、同期および推定フレームを含む、限られた特定の情報を搬送する。さらに、前のワイヤレス規格において使用されるＮＤＰフレームは、１ＭＨｚ〜１６ＭＨｚの帯域幅への使用に制限され得る。
【００３３】
[0053]対照的に、本開示によるＮＤＰフレームはより複雑な構造を有し得る。ＮＤＰフレームは、従来のＮＤＰフレーム以外に追加の情報を搬送し得る。本開示のＮＤＰフレームの構造は、シングルユーザ状況に限定されず、ＮＤＰフレームがマルチユーザ（ＭＵ）直交周波数分割多元接続（ＯＦＤＭＡ）システムおよびＭＵ多入力多出力（ＭＩＭＯ）システムにおいて使用されることを有利に可能にする。さらに、ＮＤＰフレームは、最高８０ＭＨｚのより高い帯域幅上で送信され得る。
【００３４】
[0054]ＮＤＰフレームのためのいくつかの異なる可能な構造および機能がある。これらの可能性は、たとえば、いくつの受信側（たとえば、ワイヤレス局）がＮＤＰを受信することを意図されるか、ＮＤＰがその上で送信されることになる帯域幅、ＮＤＰがトリガフレームに応答するかどうか、またはＮＤＰがブロック確認応答のために使用されるかどうかを含む。さらに、ＮＤＰは、特定の情報を含んでいるいくつかの異なるフィールドのうちの１つまたは複数を含み得る。ＮＤＰフレームを生成および使用するためのデバイス、方法、および構造について本明細書で説明する。
【００３５】
[0055]いくつかの例では、高帯域幅または高効率（ＨＥ）送信は、限定はしないが、ＩＥＥＥ８０２．１１ａｘなど、比較的高いデータレートをサポートし得るワイヤレス通信規格に従って送信され得る。たとえば、ＩＥＥＥ８０２．１１ａｘは、ＩＥＥＥ８０２．１１ａｃによってサポートされるデータレートの最高４倍であるデータレートをサポートし得る。さらに、本開示の様々な態様によるＮＤＰフレームなど、パケット送信の最後にＩＥＥＥ８０２．１１ａｘによる利用可能な処理時間は、ＩＥＥＥ８０２．１１ａｃによる利用可能な処理時間（たとえば、１６μｓ  ＳＩＦＳ）と同じ持続時間であるように設定され得る。しかしながら、ＨＥ送信に関連する増加された量の処理により、いくつかのワイヤレスデバイス（たとえば、ワイヤレス局またはアクセスポイント）は、パケット送信の最後に利用可能な時間内に必要な処理を完了するのに十分な処理能力を有しないことがある。
【００３６】
[0056]したがって、高帯域幅ワイヤレス通信におけるＮＤＰフレームのための拡張信号を与えるための様々な技法について説明する。たとえば、ワイヤレスデバイス（たとえば、ワイヤレス局またはアクセスポイント）が、受信デバイスが必要な処理を完了するのに十分な時間を与えるために、ＮＤＰフレームの最後にパディング波形を追加し得る。拡張は、サウンディングＮＤＰの最後に追加されるパディング波形の形態のものであり得る。
【００３７】
[0057]以下の説明は、例を与えるものであり、特許請求の範囲に記載された範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実施され得、様々なステップが追加、省略、または組み合わせられ得る。また、いくつかの例に関して説明する特徴は、他の例において組み合わせられ得る。
【００３８】
[0058]最初に図１を参照すると、ブロック図は、ワイヤレスエリアネットワーク（ＷＬＡＮ）１００の一例を示している。ＷＬＡＮ１００は、アクセスポイント（ＡＰ）１０５と、移動局、携帯情報端末（ＰＤＡ）、他のハンドヘルドデバイス、ネットブック、ノートブックコンピュータ、タブレットコンピュータ、ラップトップ、ディスプレイデバイス（たとえば、ＴＶ、コンピュータモニタなど）、プリンタなど、１つまたは複数のワイヤレス局１１０（たとえば、ＳＴＡ）またはデバイスとを含み得る。ただ１つのＡＰ１０５が示されているが、ＷＬＡＮ１００は複数のＡＰ１０５を有し得る。移動局（ＭＳ）、モバイルデバイス、アクセス端末（ＡＴ）、ユーザ機器（ＵＥ）、加入者局（ＳＳ）、または加入者ユニットと呼ばれることもある、ワイヤレス局１１０の各々は、通信リンク１１５を介してＡＰ１０５に関連し、それと通信し得る。各ＡＰ１０５は、そのエリア内のワイヤレス局１１０がＡＰ１０５と一般に通信することができるような地理的カバレージエリア１２５を有する。ワイヤレス局１１０は地理的カバレージエリア１２５全体にわたって分散され得る。各ワイヤレス局１１０は固定または移動であり得る。
【００３９】
[0059]いくつかの例では、ワイヤレス局１１０は、２つ以上のＡＰ１０５によってカバーされ得、したがって、異なる時間に１つまたは複数のＡＰ１０５と関連することができる。単一のＡＰ１０５と、局の関連するセットとは、基本サービスセット（ＢＳＳ）と呼ばれることがある。拡張サービスセット（ＥＳＳ）は接続されたＢＳＳのセットである。拡張サービスセット中のＡＰ１０５を接続するために、配信システム（ＤＳ）が使用される。ＡＰ１０５のための地理的カバレージエリア１２５は、カバレージエリアの一部分のみを構成するセクタに分割され得る。ＷＬＡＮ１００は、異なるサイズのカバレージエリア、および異なる技術のための重複するカバレージエリアをもつ、異なるタイプ（たとえば、メトロポリタンエリア、ホームネットワークなど）のＡＰ１０５を含み得る。他のワイヤレスデバイスもＡＰ１０５と通信することができる。
【００４０】
[0060]ワイヤレス局１１０は、通信リンク１１５を使用してＡＰ１０５を通して互いと通信し得るが、各ワイヤレス局１１０はまた、直接ワイヤレスリンク１２０を介して１つまたは複数の他のワイヤレス局１１０と直接通信し得る。２つまたはそれ以上のワイヤレス局１１０は、両方のワイヤレス局１１０がＡＰ地理的カバレージエリア１２５中にあるとき、あるいは一方のワイヤレス局１１０がＡＰ地理的カバレージエリア１２５内にあるか、またはいずれのワイヤレス局１１０もＡＰ地理的カバレージエリア１２５内にないとき、直接ワイヤレスリンク１２０を介して通信し得る。直接ワイヤレスリンク１２０の例としては、Ｗｉ−Ｆｉ  Ｄｉｒｅｃｔ（登録商標）接続、Ｗｉ−Ｆｉトンネルドダイレクトリンクセットアップ（ＴＤＬＳ：Tunneled Direct Link Setup）リンクを使用することによって確立される接続、および他のＰ２Ｐグループ接続があり得る。これらの例におけるワイヤレス局１１０は、物理レイヤと媒体アクセス制御（ＭＡＣ）レイヤとを含むＷＬＡＮ無線およびベースバンドプロトコルに従って通信し得る。他の実装形態では、他のピアツーピア接続および／またはアドホックネットワークがＷＬＡＮ１００内に実装され得る。
【００４１】
[0061]ＷＬＡＮ１００は、マルチユーザ（ＭＵ）多入力多出力（ＭＩＭＯ）ネットワークなど、ＭＵワイヤレスネットワークであり得る。したがって、ＷＬＡＮ１００では、ＡＰ１０５は、制御フレームなどのメッセージを同じ時間に１つまたは複数のワイヤレス局１１０に送信し得る。同様に、ワイヤレス局１１０の一部または全部は、ＡＰ１０５によって送信された１つまたは複数の制御フレームに応答してメッセージをＡＰ１０５に同時に送信し得る。ＡＰ１０５とワイヤレス局１１０との間の通信フレームはＮＤＰフレームを含み得る。たとえば、ＡＰ１０５はＡＰ  ＮＤＰ構成要素１４０を含み得る。ＡＰ  ＮＤＰ構成要素１４０は、ＮＤＰフレームを生成およびフォーマットし、受信されたＮＤＰフレームを復号し得る。同様に、ワイヤレス局１１０はＳＴＡ  ＮＤＰ構成要素１４５を含み得る。局ＮＤＰ構成要素１４５も、ＮＤＰフレームを生成およびフォーマットし、受信されたＮＤＰフレームを復号し得る。ＡＰ  ＮＤＰ構成要素１４０およびＳＴＡ  ＮＤＰ構成要素１４５について説明する追加の詳細が、以下で与えられる。
【００４２】
[0062]図２に、本開示の様々な態様による、ワイヤレス通信システムにおける例示的なＮＤＰフレーム交換の図２００を示す。この例では、ＮＤＰフレーム２１０は、ＡＰ１０５−ａと２つのワイヤレス局１１０−ａおよび１１０−ｂとの間で交換される。ＡＰ１０５−ａは、図１を参照しながら説明したＡＰ１０５の１つまたは複数の態様の一例であり得る。同様に、ワイヤレス局１１０−ａおよび１１０−ｂは、図１を参照しながら説明したワイヤレス局１１０の１つまたは複数の態様の例であり得る。
【００４３】
[0063]ＡＰ１０５−ａは、ブロック２０５において、ＮＤＰフレーム２１０など、ＮＤＰフレームを生成し得る。ＮＤＰ２１０のコンテンツについて以下でより詳細に説明する。ＮＤＰは、ワイヤレス局１１０−ａおよび１１０−ｂなど、１つまたは複数の局のための情報を含み得る。たとえば、ＮＤＰは、ワイヤレス局１１０−ａとワイヤレス局１１０−ｂの両方に関連する情報のための部分を含み得る。ＮＤＰは、ワイヤレス局１１０−ａおよびワイヤレス局１１０−ｂのうちの１つのみに関連する情報を含んでいる部分をも含み得る。いくつかの例では、ＮＤＰフレーム２１０は、以下でより詳細に説明するように、ワイヤレス局１１０−ａまたはワイヤレス局１１０−ｂが、ＮＤＰフレーム２１０に関連する処理を完了するための追加の処理時間を可能にするために、それの最後に拡張を含み得る。
【００４４】
[0064]図２に示された例では、ＡＰ１０５−ａは、ＮＤＰフレーム２１０をワイヤレス局１１０−ａおよびワイヤレス局１１０−ｂに送信する。いくつかの例では、ＡＰ１０５−ａはＮＤＰフレーム２１０をブロードキャストし得る。いくつかの例では、ＮＤＰフレーム２１０は、４つの２０ＭＨｚチャネルを有する８０メガヘルツ（ＭＨｚ）帯域など、２つ以上のチャネルをもつ帯域幅上で送信され得る。そのような例では、ワイヤレス局１１０−ａおよび１１０−ｂは、特定のワイヤレス局１１０に割り当てられたチャネル上でＮＤＰフレーム２１０の部分のみを受信し得る。他の例では、ＮＤＰフレーム２１０はまた、ワイヤレス局１１０によってＡＰ１０５に送られ得る。そのような例では、ＮＤＰフレーム２１０は、ブロードキャストまたはユニキャスト情報を含むフォーマットを有し得る（すなわち、ワイヤレス局１１０生成ＮＤＰフレーム２１０は、複数の局のためのデータを有しないであろう）。
【００４５】
[0065]ワイヤレス局１１０−ａは、ブロック２１５において、受信されたＮＤＰフレーム２１０を復号し得る。同様に、ワイヤレス局１１０−ｂは、ブロック２２０において、受信されたＮＤＰフレームを復号し得る。ワイヤレス局１１０−ａは、局１１０−ａに関連するＮＤＰフレーム２１０の部分のみを復号し得る。たとえば、ワイヤレス局１１０−ａは、局１１０−ａがそれの割り当てられたチャネル上で受信したＮＤＰフレーム２１０の部分のみを復号し得る。同様に、ワイヤレス局１１０−ｂは、ワイヤレス局１１０−ｂに関連するＮＤＰフレーム２１０の部分のみを復号し得る。たとえば、ワイヤレス局１１０−ｂは、ワイヤレス局１１０−ｂがそれの割り当てられたチャネル上で受信したＮＤＰフレーム２１０の部分のみを復号し得る。
【００４６】
[0066]図３に、本開示の様々な態様による、例示的なＮＤＰフレーム３００のブロック図を示す。ＮＤＰフレーム３００は、図２を参照しながら説明したＮＤＰフレーム２１０の１つまたは複数の態様の一例であり得る。ＮＤＰフレーム３００は、物理レイヤサービスデータユニット（ＰＳＤＵ）をもたない物理レイヤコンバージェンスプロトコル（ＰＬＣＰ）プロトコルデータユニット（ＰＰＤＵ）であり得る。言い換えれば、ＮＤＰフレーム３００は、ＰＬＣＰヘッダ（すなわち、物理（ＰＨＹ）プリアンブル）を含むが、ペイロード部分を含まない。
【００４７】
[0067]一般的なＷｉ−Ｆｉフレームは、物理レイヤヘッダとそれに続くペイロードとを含む。しかしながら、ＮＤＰフレーム３００は、ＰＨＹプリアンブルを含むが、ペイロードを有しない。ＮＤＰフレーム３００はサブフレーム中で何らかの情報を搬送し得る。いくつかの例では、ＮＤＰフレーム３００が搬送する情報は８０２．１１ａｘ規格に従う。いくつかの例では、ＮＤＰフレーム３００は、２．４ギガヘルツ（ＧＨｚ）と５ＧＨｚとを含めてそれらの間の周波数に適用可能であり得る。
【００４８】
[0068]ＮＤＰフレーム３００は３つの部分、すなわち、レガシー部分３０５と、非レガシー部分３１０と、拡張部分３１５とを含む。レガシー部分３０５および非レガシー部分３１０は両方ともプリアンブル部分であり得る。レガシー部分３０５はある規格（たとえば、８０２．１１ａ）に準拠し得るが、非レガシー部分３１０および拡張部分３１５は別の異なる規格（たとえば、８０２．１１ａｘ）に準拠し得る。レガシー部分３０５は、ＮＤＰフレーム３００が新しい規格とともに使用されるとき、ＮＤＰフレーム３００がより古い規格と後方互換性があることを可能にし得る。レガシー部分３０５は各非レガシー部分３１０の前に付加され得る。すなわち、レガシー部分３０５は非レガシー部分３１０の前に送信され得る。
【００４９】
[0069]非レガシー部分３１０および拡張部分３１５は高効率（ＨＥ）部分であり得る。ＨＥ部分は、レガシー部分３０５とは異なるＷｉ−Ｆｉ規格に準拠し得る。たとえば、非レガシー部分３１０および拡張部分３１５は、８０２．１１ａｘ規格に準拠し得る。
【００５０】
[0070]いくつかの例では、レガシー部分３０５は８０２．１１ａ規格に準拠する。レガシー部分３０５は２０ＭＨｚ幅であり得る。ＮＤＰフレーム３００が送信されるとき、レガシー部分３０５は、ＰＰＤＵ（すなわち、ＮＤＰフレーム３００）がスパンする各２０ＭＨｚチャネルについて繰り返され得る。２０ＭＨｚ以下の場合、たとえば、レガシー部分３０５の後に非レガシー部分３１０および拡張部分３１５が続く。４０ＭＨｚの場合、レガシー部分３０５は各２０ＭＨｚチャネルにおいて複製され得る。すなわち、レガシー部分３０５のコピーが、コピー間のガードインターバル（ＧＩ）を含み得る各２０ＭＨｚチャネル中で送られ得る。レガシー部分３０５のコピーの後に非レガシー部分３１０および拡張部分３１５が続き得る。
【００５１】
[0071]図４に、本開示の様々な態様による、ＮＤＰフレームの例示的なレガシープリアンブル部分４００のブロック図を示す。レガシープリアンブル部分４００は、図３を参照しながら説明したレガシー部分３０５の１つまたは複数の態様の一例であり得る。
【００５２】
[0072]レガシープリアンブル部分４００は、レガシーショートトレーニングフィールド（Ｌ−ＳＴＦ）４０５、レガシーロングトレーニングフィールド（Ｌ−ＬＴＦ）４１０、レガシー信号フィールド（Ｌ−ＳＩＧ）４１５、またはそれらの組合せを含み得る。Ｌ−ＳＴＦ４０５はＯＦＤＭシンボルであり得る。Ｌ−ＳＴＦ４０５は、パケット開始（start-of-packet）検出、自動利得制御（ＡＧＣ）、ならびに初期周波数オフセット推定および初期時間同期のために使用され得る。Ｌ−ＬＴＦ４１０は、チャネル推定のために、ならびにＬ−ＳＴＦ４０５よりも正確な周波数オフセット推定および初期時間同期のために使用され得る。Ｌ−ＳＩＧ４１５は、Ｌ−ＳＩＧ４１５を含むＮＤＰフレームについてのレートおよび長さ情報を含み得る。
【００５３】
[0073]１つの特定の例では、Ｌ−ＳＴＦ４０５は約８マイクロ秒（μｓ）長であり、Ｌ−ＬＴＦ４１０は約８μｓ長であり、Ｌ−ＳＩＧ４１５は約４μｓ長である。しかしながら、これは一例にすぎず、他の例では、Ｌ−ＳＴＦ４０５、Ｌ−ＬＴＦ４１０、およびＬ−ＳＩＧ４１５は他の持続時間であり得る。レガシープリアンブル部分４００のフィールド４０５、４１０、および４１５は、８０２．１１ａｈなど、８０２．１１ａ規格に準拠し得る。
【００５４】
[0074]図５Ａに、本開示の様々な態様による、ＮＤＰフレームの例示的な非レガシーおよび拡張部分５００のブロック図を示す。非レガシーおよび拡張部分５００は、図３を参照しながら説明した非レガシー部分３１０の１つまたは複数の態様の一例であり得る。
【００５５】
[0075]非レガシーおよび拡張部分５００は高効率（ＨＥ）部分であり得る。非レガシーおよび拡張部分５００は、図３のレガシー部分３０５または図４のレガシープリアンブル部分４００など、レガシー部分とは異なる規格またはプロトコルに準拠し得る。非レガシーおよび拡張部分５００は、繰り返しレガシー信号（ＲＬ−ＳＩＧ）フィールド５０５と、第１のＨＥ信号フィールド（ＨＥ−ＳＩＧ−Ａ）５１０と、第２のＨＥ信号フィールド（ＨＥ−ＳＩＧ−Ｂ）５１５と、ＨＥショートトレーニングフィールド（ＨＥ−ＳＴＦ）５２０と、ＨＥロングトレーニングフィールド（ＨＥ−ＬＴＦ）５２５と、拡張部分５３０とを含む、いくつかのフィールドのうちの１つまたは複数を含み得る。
【００５６】
[0076]ＲＬ−ＳＩＧ５０５は、図４のＬ−ＳＩＧ４１５など、ＮＤＰフレームのレガシープリアンブル部分からのＬ−ＳＩＧの繰り返しであり得る。非レガシーおよび拡張部分５００の部分のうちの１つまたは複数中でＬ−ＳＩＧ４１５を繰り返すことによって、ＮＤＰフレームの信頼性が改善され得る。いくつかの例では、ＲＬ−ＳＩＧ５０５は約４μｓ長であり得る。他の例では、ＲＬ−ＳＩＧ５０５は他の持続時間であり得る。
【００５７】
[0077]ＨＥ−ＳＩＧ−Ａ５１０は、ＮＤＰフレームのすべての受信側によって復号されることを意図されたＰＰＤＵのフォーマットに関係する情報を含む情報フィールドであり得る。いくつかの例では、ＨＥ−ＳＩＧ−Ａ５１０は固定長である。１つのそのような例では、ＨＥ−ＳＩＧ−Ａ５１０は、３．２μｓの長さ＋ガードインターバルの長さを有する。他の例では、ＨＥ−ＳＩＧ−Ａ５１０は異なる長さを有し得る。いくつかの例では、ＨＥ−ＳＩＧ−Ａ５１０は、フレームがＮＤＰフレームであることを示す１つまたは複数のビット（たとえば、いくつかの実装形態では、シングルビット）を含み得る。
【００５８】
[0078]ＨＥ−ＳＩＧ−Ｂ５１５は、パケットのフォーマットに関係する拡張情報または追加の動作指示を含む情報フィールドであり得る。ＨＥ−ＳＩＧ−Ｂ５１５も、ＮＤＰフレームのすべての受信側によって受信され、復号されることを意図され得る。いくつかの例では、ＨＥ−ＳＩＧ−Ｂ５１５は可変長である。他の例では、ＨＥ−ＳＩＧ−Ｂ５１５は固定長であり得る。さらに他の例では、ＨＥ−ＳＩＧ−Ｂ５１５は省略され得る。
【００５９】
[0079]ＨＥ−ＳＴＦ５２０およびＨＥ−ＬＴＦ５２５は、チャネル推定および同期をリフレッシュするための情報を含むトレーニングシンボルであり得る。ＨＥ−ＳＴＦ５２０およびＨＥ−ＬＴＦ５２５は、局ごとの情報を含み得、その局のための特定のサブバンドまたは空間ストリーム上でのみ送信され得る。一例では、ＨＥ−ＳＴＦ５２０は約４〜８μｓの持続時間を有し得る。いくつかの例では、ＨＥ−ＳＴＦ５２０は省略され得る。ＨＥ−ＬＴＦ５２５の持続時間は、ワイヤレス通信システムにおいて使用される時空間ストリーム数（ＮSTS）に依存し得る。他の例では、ＨＥ−ＳＴＦ５２０およびＨＥ−ＬＴＦ５２５の持続時間は、本明細書で説明する特定の例とは異なり得る。
【００６０】
[0080]非レガシーおよび拡張部分５００は拡張部分５３０をも含み得る。上述のように、拡張部分は、ＮＤＰフレームの受信の後にＮＤＰフレームに関連する処理を完了するのに十分な処理時間を可能にするために与えられ得る。いくつかの例では、ＨＥ  ＮＤＰフレームが、マルチユーザ（ＭＵ）送信に関連するサウンディングのために使用され得、また、ＮＤＰフレームを受信するデバイスによって報告されるべきチャネル状態情報（ＣＳＩ）のためのパラメータを示し得る。いくつかの例では、ＮＤＰフレームは、たとえば、ＨＥ−ＳＩＧ−Ａ５１０中の１つまたは複数のビット（たとえば、いくつかの実装形態では、シングルビット）によって、および／あるいはＬ−ＳＩＧ４１５またはＲＬ−ＳＩＧ５０５中の長さフィールドの値によって識別され得る。
【００６１】
[0081]いくつかの例では、拡張部分５３０は、第３のＨＥ  ＳＩＧフィールド（ＨＥ−ＳＩＧ−Ｃ）を含み得、これは、単一の空間ストリームを用いて送信されるか、または空間ストリームにわたって複製され得る。いくつかの例では、拡張部分５３０は、サウンディング応答のためのアップリンクＭＵリソースの割振り、または必要とされるＣＳＩのＳＴＡごとのパラメータ表示のうちの１つまたは複数を含み得る。他の例では、拡張部分５３０は、情報がないパディング波形を含み得るか、または同期、タイミングなど、サウンディングプロシージャに関係しない物理レイヤ情報を搬送するパディング波形を含み得る。拡張部分５３０の持続時間は、規格において定義されている固定値であり得る。いくつかの場合には、拡張部分５３０の持続時間は、ＨＥ−ＬＴＦ５２５の数の関数であり得る。たとえば、より大きい数のＨＥ−ＬＴＦ５２５は、より小さい数のＨＥ−ＬＴＦ５２５よりも長い処理時間を必要とし得るので、拡張部分５３０の持続時間が、ＨＥ−ＬＴＦ５２５の数に比例する様式で導出され得る。他の例では、拡張部分５３０の持続時間は、ＨＥ−ＬＴＦ５２５の数が非レガシーおよび拡張部分５００から知られると、レガシー部分Ｌ−ＳＩＧ４１５中に存在する長さフィールドによって導出され得る。たとえば、レガシー部分Ｌ−ＳＩＧ４１５は、非レガシー部分および拡張部分５００を含むＮＤＰの長さを示すことができる。いくつかの場合には、非レガシー部分の持続時間は、ＨＥ−ＳＩＧ−Ａ５１０中の指示によって、独立して推定され得る。このようにして、受信機構成要素が、拡張部分５３０のみの持続時間を識別することができる。いくつかの場合には、拡張部分５３０のみの持続時間は、ＩＥＥＥ８０２．１１ａｘ  ＯＦＤＭシンボルよりも小さいことがある。拡張部分５３０の持続時間は、ＨＥ−ＳＩＧ  Ａ５１０中で、またはＨＥ−ＳＩＧ−Ｂ５１５中で示され得る。
【００６２】
[0082]ＲＬ−ＳＩＧ５０５、ＨＥ−ＳＩＧ−Ａ５１０、およびＨＥ−ＳＩＧ−Ｂ５１５は、ＮＤＰの各受信側のための情報を含み得る。すなわち、情報は、４０または８０ＭＨｚ帯域幅の２０ＭＨｚチャネルごとになど、各関連するチャネル上で送信され得る。他の例では、他のチャネルおよび帯域幅が使用され得る。対照的に、ＨＥ−ＳＴＦ５２０、ＨＥ−ＬＴＦ５２５、および拡張部分５３０は局ごとの部分であり得る。すなわち、それらのフィールドは、１つの局のみに関連する情報を含んでいることがある。その場合、異なるＨＥ−ＳＴＦ５２０、ＨＥ−ＬＴＦ５２５、および拡張部分５３０が、各局のための別個のチャネル上でまたは各局ごとの異なる空間ストリーム中で送信され得る。
【００６３】
[0083]上述のように、いくつかの例では、ＮＤＰフレームのレガシー部分は、複数のチャネルにおいて複製され得るが、拡張部分の非レガシー部分の全部または一部分は、複数のチャネルを使用して送信され得る。図５Ｂに、本開示の様々な態様による、例示的なＮＤＰフレーム５４０のブロック図を示す。ＮＤＰフレーム５４０は、図３および図４を参照しながら説明したレガシー部分３０５およびレガシーフィールド４０５〜４１５の１つまたは複数の態様の例であり得る、レガシー部分Ｌ−ＳＴＦ５４５、Ｌ−ＬＴＦ５５０、およびＬ−ＳＩＧ５５５を含み得る。この例では、レガシー部分５４５〜５５５は、（たとえば、８０ＭＨｚ帯域幅の４つの２０ＭＨｚチャネルにわたって）４回複製され得る。ＮＤＰフレーム５４０は、図３および図５Ａを参照しながら説明した非レガシー部分３１０、非レガシーフィールド５０５〜５２５、および拡張部分５３０の１つまたは複数の態様の例であり得る、非レガシー部分ＬＲ−ＳＩＧ５６０、ＨＥ−ＳＩＧ−ａ５６５、ＨＥ−ＳＩＧ−Ｂ５７０、（１つまたは複数の）ＨＥ  ＳＴＦ５７５、および（１つまたは複数の）ＨＥ−ＬＴＦ５８０を含み得る。図５Ｂの例では、非レガシーフィールドＲＬ−ＳＩＧ５６０およびＨＥ−ＳＩＧ−Ａ５６５は、複数のチャネルにわたって複製され得る。
【００６４】
[0084]上述のように、いくつかの例では、１つまたは複数の非レガシーフィールドは、いくつかの展開において、随意であり得るかまたは省略され得る。たとえば、図５Ｃに、ＨＥ−ＳＩＧ−Ｂ５７０および（１つまたは複数の）ＨＥ−ＳＴＦ５７５がＮＤＰフレーム５９０から省略され得る一例を示す。もちろん、条件に応じて、他のまたは異なるフィールドが与えられるかまたはＮＤＰフレームから除外され得ることを、当業者は容易に認識されよう。
【００６５】
[0085]図６に、本開示の様々な態様による、局ごとの部分をもたないＮＤＰフレームの例示的な非レガシー部分６００のブロック図を示す。非レガシー部分６００は、図３および図５Ａを参照しながら説明した非レガシー部分３１０、非レガシーおよび拡張部分５００の非レガシー部分、ならびに図５Ｂおよび図５ＣのＮＤＰフレーム５４０および５９０の非レガシー部分の１つまたは複数の態様の一例であり得る。
【００６６】
[0086]図６の例では、非レガシー部分６００は、ＲＬ−ＳＩＧ５０５−ａと、ＨＥ−ＳＩＧ−Ａ５１０−ａと、ＨＥ−ＳＩＧ−Ｂ５１５−ａとのみを含む。ＲＬ−ＳＩＧ５０５−ａ、ＨＥ−ＳＩＧ−Ａ５１０−ａ、およびＨＥ−ＳＩＧ−Ｂ５１５−ａは、それぞれ、図５Ａを参照しながら説明したＲＬ−ＳＩＧ５０５、ＨＥ−ＳＩＧ−Ａ５１０、およびＨＥ−ＳＩＧ−Ｂ５１５の１つまたは複数の態様の例であり得る。すなわち、このオプションでは、ＮＤＰフレームのＨＥ部分６００は局ごとの部分を含まないことがある。この例はシングルユーザＮＤＰに適用され得る。非レガシー部分６００は、すべての局に共通の情報のみがＮＤＰ中で送信される必要がある場合、このフォーマットを有し得る。
【００６７】
[0087]図７に、本開示の様々な態様による、局ごとの部分をもたないＮＤＰフレームの例示的な非レガシー部分７００のブロック図を示す。非レガシー部分７００は、それぞれ、図３および図５Ａを参照しながら説明した非レガシー部分３１０、ならびに非レガシーおよび拡張部分５００の非レガシー部分の１つまたは複数の態様の一例であり得る。
【００６８】
[0088]図７の例では、非レガシー部分７００は、ＲＬ−ＳＩＧ５０５−ｂとＨＥ−ＳＩＧ−Ａ５１０−ｂとのみを含む。ＲＬ−ＳＩＧ５０５−ｂおよびＨＥ−ＳＩＧ−Ａ５１０は、図５Ａおよび図６を参照しながら説明したＲＬ−ＳＩＧ５０５およびＨＥ−ＳＩＧ−Ａ５１０の１つまたは複数の態様の例であり得る。すなわち、このオプションでは、ＮＤＰフレームのＨＥ部分６００は、局ごとの部分もＨＥ−ＳＩＧ−Ｂ部分も含まないことがある。このフォーマットは、ＮＤＰ中に含まれるべきすべての情報がＨＥ−ＳＩＧ−Ａ５１０−ｂ中に含まれ得るとき、シングルユーザＮＤＰのために使用され得る。
【００６９】
[0089]図８に、本開示の様々な態様による、４０ＭＨｚ上で送信される例示的なＮＤＰフレーム８００のブロック図を示す。ＮＤＰフレーム８００は、図２、図３、図５Ｂ、および図５ＣのＮＤＰフレーム２１０、３００、５４０、および５９０の１つまたは複数の態様の一例であり得る。ＮＤＰフレーム８００はまた、図３および図４のレガシー部分３０５および４００の１つまたは複数の態様の一例と、図３および図４〜図７の非レガシー部分３１０、非レガシーおよび拡張部分５００の非レガシー部分、非レガシー部分６００、ならびに非レガシー部分７００の１つまたは複数の態様の一例とを含み得る。
【００７０】
[0090]図８の例では、ＮＤＰフレーム８００は、４０ＭＨｚチャネルをスパンし、レガシープリアンブル部分３０５−ａの２つのコピーと高効率部分８１０とを含む。レガシープリアンブル部分３０５−ａは、ＮＤＰフレーム８００（すなわち、ＰＰＤＵ）によってスパンされる各２０ＭＨｚチャネルについて繰り返される。レガシープリアンブル部分３０５−ａは、たとえば、ガードインターバルによって分離され得る。高効率部分８１０は４０ＭＨｚ上で定義され得、またはそれは、２０ＭＨｚのみの上で定義され、次いで、４０ＭＨｚ上に複製され得る。同様の例について、図１０および図１１において以下でより詳細に説明する。他の例では、ＮＤＰフレーム８００は、他の帯域幅をスパンし得、いくつかの複製された部分を含むか、または複製された部分を含まないことがある。
【００７１】
[0091]図９に、本開示の様々な態様による、８０ＭＨｚ上で送信される例示的なＮＤＰフレーム９００のブロック図を示す。ＮＤＰフレーム９００は、図２、図３、図５Ｂ、および図５ＣのＮＤＰフレーム２１０、３００、５４０、および５９０の１つまたは複数の態様の一例であり得る。ＮＤＰフレーム９００はまた、図３、図４、および図８のレガシー部分３０５および４００の１つまたは複数の態様の一例と、図３および図５〜図８の非レガシー部分３１０、非レガシーおよび拡張部分５００の非レガシー部分、非レガシー部分６００、ならびに非レガシー部分７００の１つまたは複数の態様の一例とを含み得る。
【００７２】
[0092]図９の例では、ＮＤＰフレーム９００は、８０ＭＨｚチャネルをスパンし、レガシープリアンブル部分３０５−ｂの４つのコピーと高効率部分８１０−ａの単一のコピーとを含む。レガシープリアンブル部分３０５−ｂは、ＮＤＰフレーム９００（すなわち、ＰＰＤＵ）によってスパンされる各２０ＭＨｚチャネルについて繰り返される。レガシープリアンブル部分３０５−ａは、たとえば、ガードインターバルによって分離され得る。高効率部分８１０−ａは８０ＭＨｚ上で定義され得、またはそれは、２０ＭＨｚのみの上で定義され、次いで、８０ＭＨｚ上に複製され得る。同様の例について、図１０および図１１において以下でより詳細に説明する。他の例では、ＮＤＰフレーム９００は、他の帯域幅をスパンし得、いくつかの複製された部分を含むか、または複製された部分を含まないことがある。
【００７３】
[0093]図１０に、本開示の様々な態様による、８０ＭＨｚ上で送信される例示的なＮＤＰフレーム１０００のブロック図を示す。ＮＤＰフレーム１０００は、図２、図３、図５Ｂ、図５Ｃ、および図９のＮＤＰフレーム２１０、３００、５４０、５９０、および９００の１つまたは複数の態様の一例であり得る。ＮＤＰフレーム１０００はまた、図３、図４、および図８のレガシー部分３０５および４００の１つまたは複数の態様の一例と、図３および図５〜図９の非レガシー部分３１０、非レガシーおよび拡張部分５００の非レガシー部分、非レガシー部分６００、ならびに非レガシー部分７００の１つまたは複数の態様の一例とを含み得る。
【００７４】
[0094]図１０の例では、ＮＤＰフレーム１０００は、８０ＭＨｚチャネルをスパンし、中間のガードインターバルとともに、４つの２０ＭＨｚチャネルにわたって拡散されたレガシープリアンブル部分３０５−ｃの４つのコピーを含む。レガシープリアンブル部分３０５−ｃは、ＮＤＰフレーム１０００によってスパンされる各２０ＭＨｚチャネルについて繰り返され得る。
【００７５】
[0095]ＮＤＰフレーム１０００は、全局の部分（all-station portion）１００５と局ごとの部分１０１０とを含む高効率部分８１０−ｂを含む。高効率部分８１０−ｂは、８０ＭＨｚまたは８０ＭＨｚのうちの２０ＭＨｚチャネル上で定義され得る。図１０に示された例では、全局の部分１００５は、各２０ＭＨｚチャネルについて繰り返される、レガシープリアンブル部分３０５−ｃの繰り返しであり得るＲＬ−ＳＩＧ５０５−ａと、８０ＭＨｚ全体をスパンするＨＥ−ＳＩＧ−Ａ５１０−ａおよびＨＥ−ＳＩＧ−Ｂ５１５−ａとを含む。
【００７６】
[0096]局ごとの部分１０１０は、第１の局のためのＨＥ−ＳＴＦ５２０−ａと、ＨＥ−ＬＴＦ５２５−ａと、拡張部分５３０−ａとを含み得る。局ごとの部分１０１０はまた、それぞれ、第２の局〜第６の局のためのＨＥ−ＳＴＦ５２０−ｂ〜５２０−ｆと、ＨＥ−ＬＴＦ５２５−ａ〜５２５−ｆと、拡張部分５３０−ａ〜５３０−ｆとを含み得る。局ごとの部分１０１０中の各特定の局のためのフィールドは特定の局の帯域幅をスパンする。ＨＥ−ＳＴＦ５２０−ａ〜ＨＥ−ＳＴＦ５２０−ｆ中に含まれている情報は、それらのそれぞれの局について異なり、個別化され得る。同様に、ＨＥ−ＬＴＦ５２５−ａ〜ＨＥ−ＬＴＦ５２５−ｆ中に含まれている情報は、それらのそれぞれの局について異なり、個別化され得る。同様に、拡張部分５３０−ａ〜拡張部分５３０−ｆ中に含まれている情報は、それらのそれぞれの局について異なり、個別化され得る。
【００７７】
[0097]いくつかの例では、局ごとの部分１０１０はＮＤＰフレーム１０００中に存在しない。他の例では、図１０に示されたフィールドの何らかのサブセットがＮＤＰフレーム１０００中に含まれる。
【００７８】
[0098]図１１に、本開示の様々な態様による、８０ＭＨｚ上で送信される例示的なＮＤＰフレーム１１００のブロック図を示す。ＮＤＰフレーム１１００は、図２、図３、図９、および図１０のＮＤＰフレーム２１０、３００、９００、および１０００の１つまたは複数の態様の一例であり得る。ＮＤＰフレーム１１００はまた、図３、図４、および図８のレガシー部分３０５および４００の１つまたは複数の態様の一例と、図３および図５〜図１０の非レガシー部分３１０、非レガシーおよび拡張部分５００の非レガシー部分、非レガシー部分６００、ならびに非レガシー部分７００の１つまたは複数の態様の一例とを含み得る。
【００７９】
[0099]図１１の例では、ＮＤＰフレーム１１００は、８０ＭＨｚチャネルをスパンし、中間のガードインターバルとともに、４つの２０ＭＨｚチャネルにわたって拡散されたレガシープリアンブル部分３０５−ｄの４つのコピーを含む。レガシープリアンブル部分３０５−ｄは、ＮＤＰフレーム１１００によってスパンされる各２０ＭＨｚチャネルについて繰り返され得る。
【００８０】
[0100]ＮＤＰフレーム１１００は、全局の部分１００５−ａと局ごとの部分１０１０−ａとを含む高効率部分８１０−ｃを含む。全局の部分１００５−ａおよび局ごとの部分１０１０−ａは、図１０の全局の部分１００５および局ごとの部分１０１０の１つまたは複数の態様の例であり得る。高効率部分８１０−ｃは、８０ＭＨｚまたは８０ＭＨｚのうちの２０ＭＨｚチャネル上で定義され得る。図１１に示された例では、全局の部分１００５−ａは、８０ＭＨｚのうちの各２０ＭＨｚチャネルについて繰り返される、レガシープリアンブル部分３０５−ｄの繰り返しであり得るＲＬ−ＳＩＧ５０５−ｂと、ＨＥ−ＳＩＧ−Ａ５１０−ｂと、ＨＥ−ＳＩＧ−Ｂ５１５−ｂとを含む。図１１に示された例など、いくつかの例では、ＨＥ−ＳＩＧーＡ５１０−ｂおよびＨＥ−ＳＩＧ−Ｂ５１５−ｂは、各チャネルなど、各局について複製される。他の例では、ＨＥ−ＳＩＧ−Ａ５１０−ｂおよびＨＥ−ＳＩＧ−Ｂ５１５−ｂは、各局または各チャネルについて異なり得る。いくつかの例では、ＨＥ−ＳＩＧ−Ａ５１０−ｂは、チャネル（たとえば、２０ＭＨｚ）ごとに複製されるが、ＨＥ−ＳＩＧ−Ｂ５１５−ｂは、各チャネルについて（たとえば、各２０ＭＨｚごとに）複製されるかまたは異なる。ＨＥ−ＳＩＧ−Ｂ５１５−ｂ部分が各局について異なる場合、局は、ＨＥ−ＳＩＧ−Ａ５１０−ｂから、あるいはＡＰと局との間または局と別の局との間の他のシグナリングからアプリオリに、ＨＥ−ＳＩＧ−Ｂ５１５−ｂ部分（または局ごとの部分）をどの帯域幅に見つけるべきかを決定し得る。
【００８１】
[0101]局ごとの部分１０１０−ａは、第１の局のためのＨＥ−ＳＴＦ５２０−ｇと、ＨＥ−ＬＴＦ５２５−ｇと、拡張部分５３０−ｇとを含み得る。局ごとの部分１０１０−ａはまた、それぞれ、第２の局〜第６の局のためのＨＥ−ＳＴＦ５２０−ｈ〜５２０−ｌと、ＨＥ−ＬＴＦ５２５−ｈ〜５２５−ｌと、拡張部分５３０−ｈ〜５３０−ｌとを含み得る。局ごとの部分１０１０−ａ中の各特定の局のためのフィールドは特定の局に割り当てられた帯域幅をスパンする。ＨＥ−ＳＴＦ５２０−ｇ〜ＨＥ−ＳＴＦ５２０−ｌ中に含まれている情報は、それらのそれぞれの局について異なり、個別化され得る。同様に、ＨＥ−ＬＴＦ５２５−ｇ〜ＨＥ−ＬＴＦ５２５−ｌ中に含まれている情報は、それらのそれぞれの局について異なり、個別化され得る。同様に、拡張部分５３０−ｇ〜拡張部分５３０−ｌ中に含まれている情報は、それらのそれぞれの局について異なり、個別化され得る。
【００８２】
[0102]いくつかの例では、局ごとの部分１０１０−ａはＮＤＰフレーム１１００中に存在しない。他の例では、図１１に示されたフィールドの何らかのサブセットがＮＤＰフレーム１１００中に含まれる。ＨＥ−ＳＩＧ−Ｂ５１５を送信するために使用される帯域幅またはチャネルは、特定の局のための拡張部分５３０を送信するために使用される帯域幅またはチャネルと同じであるか、あるいはそれとは異なり得る。たとえば、ある局のためのＨＥ−ＳＩＧ−Ｂ５１５−ｂは第１の帯域幅上で送信され得る。その局のための次のフィールド、ＨＥ−ＳＴＦ５２０−ｇおよびＨＥ−ＬＴＦ２５０−ｇは、その局に、拡張部分５３０−ｇについて異なる第２の帯域幅を調べるべきことを通知する同期およびチャネル推定を与える。すなわち、局がそれらの周波数についてのチャネル推定および同期を知る限り、局は任意の周波数を使用し得る。いくつかの例では、局に関係する特定のフィールドが見つけられ得る帯域幅を局にシグナリングするために、階層フレームワークが使用され得る。たとえば、局は、ＨＥ−ＳＩＧ−Ａ５０５−ｂから、どのＨＥ−ＳＩＧ−２  ５１０−ｂを調べるべきかを学習し得る。局は、次いで、適切なＨＥ−ＳＩＧ−２  ５１０−ｂから、どのＨＥ−ＳＩＧ−３  ５３０（たとえば、ＨＥ−ＳＩＧ−３  ５３０−ｇ）を調べるべきかを学習し得る。
【００８３】
[0103]図１２に、本開示の様々な態様による、ワイヤレス通信システムにおけるトリガフレームに応答する例示的なＮＤＰフレーム交換の流れ図１２００を示す。図１２は、ＡＰ１０５−ｂからトリガフレーム１２０５を受信し、応答して、ＮＤＰフレーム２１０−ａをＡＰ１０５−ｂに送る、ワイヤレス局１１０−ｃを示している。ＡＰ１０５−ｂは、図１および図２を参照しながら説明したＡＰ１０５の１つまたは複数の態様の一例であり得る。同様に、ワイヤレス局１１０−ｃは、図１および図２を参照しながら説明したワイヤレス局１１０の１つまたは複数の態様の一例であり得る。
【００８４】
[0104]ＡＰ１０５−ｂは、トリガフレーム１２０５をワイヤレス局１１０−ｃに送る。トリガフレーム１２０５は、アップリンクにおける複数の局からの送信をトリガし得る。したがって、ＡＰ１０５は、トリガフレーム１２０５を２つ以上のワイヤレス局１１０に送信し得る。トリガフレーム１２０５を受信したことに応答して、ワイヤレス局１１０−ｃは、ブロック１２１０においてＮＤＰフレーム２１０−ａを生成し得る。トリガフレーム１２０５は、ＮＤＰ構造、持続時間、および局ごとのリソースの割振りなど、ＮＤＰフレームに関連するパラメータをすでに含み得る。したがって、トリガフレーム１２０５など、トリガフレームへの即時応答として送られるＮＤＰフレームでは、ＮＤＰフレーム２１０−ａは、その情報を繰り返す必要がないことがある。したがって、およびたとえば、ＮＤＰフレーム２１０−ａは、ＨＥ−ＳＩＧ−ＡまたはＨＥ−ＳＩＧ−Ｂ部分を含まないことがある。さらに、図１２中の例はアップリンクＮＤＰのためのものである。すなわち、ワイヤレス局１１０−ｃは、ＮＤＰフレーム２１０−ａをＡＰ１０５−ｂに送る。ワイヤレス局１１０−ｃがＮＤＰフレーム２１０−ａをＡＰ１０５−ｂに送るので、ＮＤＰフレーム２１０−ａは制御情報を含まないことがある。
【００８５】
[0105]ワイヤレス局１１０−ｃは、ＮＤＰフレーム２１０−ａをＡＰ１０５−ｂに送信し得る。ＮＤＰフレーム２１０−ａは、図２、図３、図９、および図１０のＮＤＰフレーム２００、３００、９００、および１０００の１つまたは複数の態様の一例であり得る。ＡＰ１０５−ｂは、ブロック１２１５においてＮＤＰフレーム２１０−ａを復号し得る。
【００８６】
[0106]図１３に、本開示の様々な態様による、トリガフレーム１２０５−ａに応答して送信される例示的なＮＤＰフレーム２１０−ｂのブロック図１３００を示す。ＮＤＰフレーム２１０−ｂは、図２、図３、図５Ｂ、図５Ｃ、および図９〜図１２のＮＤＰフレーム２１０、３００、５４０、５９０、９００、１０００、および１１００の１つまたは複数の態様の一例であり得る。トリガフレーム１２０５−ｂは、図１２および図１３のトリガフレーム１２０５の１つまたは複数の態様の一例であり得る。
【００８７】
[0107]トリガフレーム１２０５−ａを受信したことに応答して、いくつかの局がＮＤＰフレームを送り得る。図１３のＮＤＰフレーム２１０−ｂの表現は、４つの応答局によって送られる４つの異なるＮＤＰフレームの複合物である。この例では、レガシープリアンブル部分３０５−ｅに加えて、局は、ＲＬ−ＳＩＧ５０５−ｃと、（異なるかまたは同じであり得る）ＨＥ−ＳＩＧ−Ａ５１０−ｃおよび５１０−ｄと、（異なるかまたは同じであり得る）ＨＥ−ＳＩＧ−Ｂ５１５−ｃおよび５１５−ｄとを含めて応答する。第１の局は、ＨＥ−ＳＴＦ５２０−ｍと、ＨＥ−ＬＴＦ５２５−ｍと、拡張部分５３０−ｍとを含むＮＤＰフレームを送信し得る。同様に、第２の局は、ＨＥ−ＳＴＦ５２０−ｎと、ＨＥ−ＬＴＦ５２５−ｎと、拡張部分５３０−ｎとを含むＮＤＰフレームを送信し得る。第３の局は、ＨＥ−ＳＴＦ５２０−ｏと、ＨＥ−ＬＴＦ５２５−ｏと、拡張部分５３０−ｏとを含むＮＤＰフレームを送信し得、第４の局は、ＨＥ−ＳＴＦ５２０−ｐと、ＨＥ−ＬＴＦ５２５−ｐと、拡張部分５３０−ｐとを含むＮＤＰフレームを送信し得る。他の例では、４つ以外の他の数の局が、トリガフレーム１２０５−ａを受信し、それに応答し得る。
【００８８】
[0108]図１４に、本開示の様々な態様による、トリガフレーム１２０５−ｂに応答して送信される例示的なＮＤＰフレーム２１０−ｃのブロック図１４００を示す。ＮＤＰフレーム２１０−ｃは、図２、図３、図５Ｂ、図５Ｃ、および図９〜図１３のＮＤＰフレーム２１０、３００、５４０、５９０、９００、１０００、および１１００の１つまたは複数の態様の一例であり得る。トリガフレーム１２０５−ｂは、図１２および図１３のトリガフレーム１２０５の１つまたは複数の態様の一例であり得る。
【００８９】
[0109]トリガフレーム１２０５−ｂを受信したことに応答して、いくつかの局がＮＤＰフレームを送り得る。図１４のＮＤＰフレーム２１０−ｃの表現は、トリガフレーム１２０５−ｂに応答して４つの局によって送られる４つの異なるＮＤＰフレームの複合物である。局は、レガシープリアンブル部分３０５−ｆと局ごとの部分とを含めて応答する。たとえば、第１の局は、ＨＥ−ＳＴＦ５２０−ｑと、ＨＥ−ＬＴＦ５２５−ｑと、拡張部分５３０−ｑとを含むＮＤＰフレームを送信し得る。同様に、第２の局は、ＨＥ−ＳＴＦ５２０−ｒと、ＨＥ−ＬＴＦ５２５−ｒと、拡張部分５３０−ｒとを含むＮＤＰフレームを送信し得る。第３の局は、ＨＥ−ＳＴＦ５２０−ｓと、ＨＥ−ＬＴＦ５２５−ｓと、拡張部分５３０−ｓとを含むＮＤＰフレームを送信し得、第４の局は、ＨＥ−ＳＴＦ５２０−ｔと、ＨＥ−ＬＴＦ５２５−ｔと、拡張部分５３０−ｔとを含むＮＤＰフレームを送信し得る。各局のための局ごとの部分は、局ごとに異なり得、異なる空間ストリーム中でまたは異なる周波数上で送信され得る。
【００９０】
[0110]他の例では、４つ以外の他の数の局が、トリガフレーム１２０５−ｂを受信し、それに応答し得る。この例では、トリガフレームへの応答は、ＨＥ−ＳＩＧ−ＡまたはＨＥ−ＳＩＧ−Ｂを有しないことがある。いくつかの例では、いくつかの局はＨＥ−ＳＩＧ−ＡまたはＨＥ−ＳＩＧ−Ｂとともに応答し、いくつかの局はそうしない。
【００９１】
[0111]図１５に、本開示の様々な態様による、例示的なＮＤＰクリアツートランスミット（ＣＴＸ）フレームのブロック図を示す。ＡＰ１０５は、ＮＤＰトリガの形態をとり得るクリアツートランスミット（ＣＴＸ）メッセージ１５０５を送信し得る。ＡＰ１０５は、どの局が、アップリンクマルチユーザＭＩＭＯ方式、またはＵＬ  ＭＵ−ＰＰＤＵ方式などのマルチユーザ直交周波数分割多元接続（ＯＦＤＭＡ）方式に参加し得るかを示すＣＴＸメッセージ１５０５を１つまたは複数のワイヤレス局１１０にブロードキャストし得る。局がＣＴＸメッセージ１５０５を受信すると、局はＵＬ  ＭＵ−ＰＰＤＵメッセージ１５１０を送信し得る。ＵＬ  ＭＵ−ＰＰＤＵメッセージ１５１０は、図２、図３、および図９〜図１４のＮＤＰフレーム２１０、３００、９００、１０００、および１１００の１つまたは複数の態様の一例であり得る、ＮＤＰフレームであり得る。
【００９２】
[0112]ＵＬ  ＭＵ−ＰＰＤＵメッセージ１５１０を受信すると、ＡＰは、ブロック確認応答（ＢＡ）１５１５を局に送信し得る。いくつかの例では、ＣＴＸメッセージ１５０５は複数の局に送信され、複数の局は、異なるＵＬ  ＭＵ−ＰＰＤＵメッセージ１５１０を返送し得、ＡＰは、ＢＡ１５１５を複数の局に送信し得る。
【００９３】
[0113]ＵＬ  ＭＵ−ＰＰＤＵメッセージ１５１０は、ＨＥ−ＳＩＧ−ＡフィールドとＨＥ−ＳＩＧ−Ｂフィールドとを含み得る。ＨＥ−ＳＩＧ−ＡフィールドおよびＨＥ−ＳＩＧ−ＢフィールドはＣＴＸ情報を含み得る。いくつかの例では、ＵＬ  ＭＵ−ＰＰＤＵメッセージ１５１０は拡張フィールドを含み得る。拡張フィールドはトリガ情報を搬送し得る。他の例では、メッセージ１５１０はＵＬ  ＯＦＤＭＡメッセージであり得る。
【００９４】
[0114]図１６に、本開示の様々な態様による、ブロードキャストＣＴＸをもつ例示的なＮＤＰフレーム１６００のブロック図を示す。ＮＤＰフレーム１６００は、図２、図３、および図９〜図１４のＮＤＰフレーム２１０、３００、９００、１０００、および１１００の１つまたは複数の態様の一例、または図１５のＵＬ  ＭＵ−ＰＰＤＵメッセージ１５１０の１つまたは複数の態様の一例であり得る。ＮＤＰフレーム１６００は、ＲＬ−ＳＩＧ５０５−ｄと、ＨＥ−ＳＩＧ−Ａ５１０−ｅと、ＨＥ−ＳＩＧ−Ｂ５１５−ｅとを含み得る。ＮＤＰフレーム１６００は非レガシー部分のみを示しているが、非レガシー部分を続けるレガシー部分が含まれ得る。
【００９５】
[0115]ＨＥ−ＳＩＧ−Ａ５１０−ｅおよびＨＥ−ＳＩＧ−Ｂ５１５−ｅはいくつかのフィールドを有し得る。簡単のために、図１６の例は、タイプフィールド１６０５と、情報フィールド１６１０と、巡回冗長検査（ＣＲＣ）フィールド１６１５とを含むＨＥ−ＳＩＧ−Ｂ５１５−ｅを示している。他の例では、ＨＥ−ＳＩＧ−Ａ５１０−ｅがこれらのフィールドを含み得る。タイプフィールド１６０５は、フレームのタイプまたはフレームの機能を表し得る。一例では、タイプフィールド１６０５は４ビットである。ＣＲＣフィールド１６１５は、巡回冗長検査に関係する情報を示す。特に、ＣＲＣフィールド１６１５は、送信エラーについて検査するために、既知の定数に対するチェックサムを強制する１６ビットを含み得る。他の例では、他のフィールドおよびビット長が使用され得る。
【００９６】
[0116]情報フィールド１６１０は、送信機アドレス（ＴＡ）フィールド１６２０と、制御（ＣＴＲＬ）フィールド１６２５と、ＰＰＤＵ持続時間フィールド１６３０と、複数の局情報フィールド１６３５および１６４０とを含む、追加のフィールドをさらに含み得る。この例では、ＨＥ−ＳＩＧ−Ｂ５１５−ｅは、Ｎ個の局情報フィールド、局１情報フィールド１６３５〜局Ｎ情報フィールド１６４０を含む。局情報フィールドは追加のサブフィールドを含み得る。
【００９７】
[0117]ＴＡフィールド１６２０は、送信機アドレスまたは基本サービスセット識別子（ＢＳＳＩＤ）を示し得る。ＣＴＲＬフィールド１６２５は、ＮＤＰフレームの残りの部分のフォーマットに関係する情報と、レート適応の指示と、許容トラフィック識別子（ＴＩＤ）の指示と、ＮＤＰフレーム１６００に応答してクリアツーセンド（clear-to-send）メッセージが送られなければならないという指示とを含み得る、一般フィールドであり得る。たとえば、ＣＴＲＬフィールド１６２５は、存在する局情報フィールドの数と、局情報フィールド中にサブフィールドが含まれるかどうかとを含み得る。ＣＴＲＬフィールド１６２５は追加の制御情報をも含み得る。
【００９８】
[0118]各局情報フィールドは情報の局ごとのセットを含み得る。局情報フィールドのサブフィールドは、関連付け識別子（ＡＩＤ）またはＭＡＣアドレスフィールド１６４５と、空間ストリーム数（Ｎｓｓ）フィールド１６５０と、時間調整フィールド１６５５と、電力調整フィールド１６６０と、許容ＴＩＤフィールド１６６５と、変調およびコーディング方式（ＭＣＳ）フィールド１６７０とを含み得る。ＡＩＤまたはＭＡＣアドレスフィールド１６４５はいくつかの局を識別し得る。Ｎｓｓフィールド１６５０は、局がＵＬ  ＭＵ−ＭＩＭＯシステムにおいて使用し得る空間ストリームの数を示し得る。時間調整フィールド１６５５は、トリガフレーム（たとえば、ＮＤＰ  ＣＴＸトリガフレーム）の受信と比較して局がそれの送信を調整すべき時間を示し得る。電力調整フィールド１６６０は、宣言された送信電力から局が取るべき電力バックオフを示し得る。許容ＴＩＤフィールド１６６５は許容トラフィック識別子を示し得る。ＭＣＳフィールド１６７０は、局が使用すべき変調およびコーディング方式を示し得る。
【００９９】
[0119]いくつかの例では、説明したサブフィールドのすべてが、ブロードキャストＣＴＸをもつＮＤＰフレームのためのＨＥ−ＳＩＧ−Ｂ５１５−ｅ中に含まれるとは限らない。いくつかの例では、各チャネル（たとえば、２０ＭＨｚチャネル）について、トリガ情報は局の異なるグループを指し得る。局ごとの部分は、ブロードキャストＣＴＸをもつＮＤＰフレーム中に含まれることも含まれないこともある。
【０１００】
[0120]複数ユーザユニキャストＣＴＸのためのＮＤＰフレームの一例では、ＨＥ−ＳＩＧ−Ｂ５１５−ｅ中に含まれると説明された情報は、各異なる局のための拡張中にあり得る。そのような例では、情報フィールド１６１０は単一の局情報フィールドのみを含み得る。
【０１０１】
[0121]図１７に、本開示の様々な態様による、拡張フィールド５３０−ｕ中にブロックＡＣＫ／ＡＣＫ情報を含む例示的なＮＤＰフレーム１７００のブロック図を示す。ＮＤＰフレーム１７００は、図２、図３、図５Ｂ、図５Ｃ、図９〜図１４、および図１６のＮＤＰフレーム２１０、３００、５４０、５９０、９００、１０００、１１００、および１６００の１つまたは複数の態様の一例、または図１５のＵＬ  ＭＵ−ＰＰＤＵメッセージ１５１０の１つまたは複数の態様の一例であり得る。ＮＤＰフレーム１７００はブロック確認応答のために使用され得る。この例は個々の局のために使用され得る。
【０１０２】
[0122]図１７は、拡張フィールド５３０−ｕを含むＮＤＰフレーム１７００のみを示しているが、ＮＤＰフレーム１７００は、本明細書で説明するフィールドのいずれをも含み得る。拡張部分５拡張部分５３０−ｕは、タイプフィールド１６０５−ａと、情報フィールド１７０５と、ＣＲＣフィールド１６１５−ａとを含み得る。タイプフィールド１６０５−ａおよびＣＲＣフィールド１６１５−ａは、図１６のタイプフィールド１６０５およびＣＲＣフィールド１６１５の１つまたは複数の態様の一例であり得る。
【０１０３】
[0123]情報フィールド１７０５は、局ＩＤまたはＡＰ  ＩＤフィールド１７１０と、ＴＩＤフィールド１７１５と、シーケンス番号フィールド１７２０と、ビットマップフィールド１７２５とをさらに含み得る。局ＩＤまたはＡＰ  ＩＤフィールド１７１０は、局またはＡＰを識別し得る。ＴＩＤフィールド１７１５は、局またはＡＰがそれのためのデータを有するアクセスカテゴリー（ＡＣ）を示し得る。シーケンス番号フィールド１７２０は、より高いレベルのフレームのためのモジュロカウンタとして働く。ビットマップフィールド１７２５は、フレームに確認応答するまたは確認応答しないためのビットを含み得る。
【０１０４】
[0124]図１８に、本開示の様々な態様による、ＨＥ−ＳＩＧ−Ａフィールド５１０−ｆおよびＨＥ−ＳＩＧ−Ｂフィールド５１５−ｆ中にブロックＡＣＫ／ＡＣＫ情報を含む例示的なＮＤＰフレーム１８００のブロック図を示す。ＮＤＰフレーム１８００は、図２、図３、図９〜図１４、および図１６のＮＤＰフレーム２１０、３００、９００、１０００、１１００、および１６００の１つまたは複数の態様の一例、または図１５のＵＬ  ＭＵ−ＰＰＤＵメッセージ１５１０の１つまたは複数の態様の一例であり得る。ＮＤＰフレーム１８００はブロック確認応答のために使用され得る。
【０１０５】
[0125]図１８は、ＨＥ−ＳＩＧ−Ａフィールド５１０−ｆとＨＥ−ＳＩＧ−Ｂフィールド５１５−ｆとを含むＮＤＰフレーム１８００のみを示しているが、ＮＤＰフレーム１８００は、本明細書で説明するフィールドのいずれをも含み得る。ＨＥ−ＳＩＧ−Ａフィールド５１０−ｆおよびＨＥ−ＳＩＧ−Ｂフィールド５１５−ｆは、タイプフィールド１６０５−ｂと、ＡＰ  ＩＤフィールド１８０５と、情報フィールド１８１０と、ＣＲＣフィールド１６１５−ｂとを含み得る。タイプフィールド１６０５−ｂおよびＣＲＣフィールド１６１５−ｂは、図１６および図１７のタイプフィールド１６０５およびＣＲＣフィールド１６１５の１つまたは複数の態様の一例であり得る。
【０１０６】
[0126]ＡＰ  ＩＤフィールド１８０５はＡＰを識別し得る。情報フィールド１８１０は、局ＩＤまたはＡＰ  ＩＤフィールド１７１０−ａと、ＴＩＤフィールド１７１５−ａと、シーケンス番号フィールド１７２０−ａと、ビットマップフィールド１７２５−ａとをさらに含み得る。情報フィールド１８１０は、局ＩＤまたはＡＰ  ＩＤフィールド１７１０−ｂと、ＴＩＤフィールド１７１５−ｂと、シーケンス番号フィールド１７２０−ｂと、ビットマップフィールド１７２５−ｂとをも含み得る。他の例では、情報フィールド１８１０は、複数の局のためのフィールドの追加のセットを含み得る。局ＩＤまたはＡＰ  ＩＤフィールド１７１０−ａ、ＴＩＤフィールド１７１５−ａ、シーケンス番号フィールド１７２０−ａ、およびビットマップフィールド１７２５−ａは、図１７の局ＩＤまたはＡＰ  ＩＤフィールド１７１０、ＴＩＤフィールド１７１５、シーケンス番号フィールド１７２０、およびビットマップフィールド１７２５の１つまたは複数の態様の一例であり得る。同様に、局ＩＤまたはＡＰ  ＩＤフィールド１７１０−ｂ、ＴＩＤフィールド１７１５−ｂ、シーケンス番号フィールド１７２０−ｂ、およびビットマップフィールド１７２５−ｂは、図１７の局ＩＤまたはＡＰ  ＩＤフィールド１７１０、ＴＩＤフィールド１７１５、シーケンス番号フィールド１７２０、およびビットマップフィールド１７２５の１つまたは複数の態様の一例であり得る。
【０１０７】
[0127]本明細書で説明するように、ＮＤＰフレーム１８００は、ＮＤＰフレーム１８００の「局ごとの」部分中に各局ごとの情報をもつブロックＡＣＫビットマップを含むＮＤＰブロックＡＣＫであり得る。いくつかの例では、ビットマップは、ブロックＡＣＫのために存在し、ＡＣＫのために存在しないことがある。各局に送られるブロックＡＣＫ（ＢＡ）情報は独立型フレームであり得る。すなわち、ＢＡ情報は、フレームタイプ識別子、ソースアドレス、または宛先アドレスを含み得る。
【０１０８】
[0128]いくつかの例では、ＮＤＰブロックＡＣＫは、ＮＤＰ  ＢＡ応答の構造と異なる局へのＮＤＰフィールドの割振りとを示し得る、多局ＢＡＲなど、ＭＵデータＰＰＤＵへのまたはトリガフレームへのほぼ即時の応答であり得る。そのようなフレームはショートフレーム間スペース（ＳＩＦＳ）即時応答であり得る。この場合、ＮＤＰブロックＡＣＫは、局およびＡＰ  ＩＤまたはタイプなど、ある情報をＢＡ中に含む必要がないことがある。いくつかの例では、局ごとの帯域幅またはストリームは、送信請求するＰＰＤＵのための局のリソース割振りに基づいて割り振られ得る。たとえば、局は、送信請求するＰＰＤＵと同じ帯域幅またはストリームを使用するか、あるいは送信請求するＰＰＤＵ中で識別された局の数に従って、等しい帯域幅割振りを使用し得る。いくつかの例では、ＮＤＰブロックＡＣＫは即時応答であり得るので、受信側はすでに十分に識別されており、ＮＤＰによって搬送される情報のタイプは、ＮＤＰの受信側によってすでに知られていることがある。
【０１０９】
[0129]図１９に、本開示の様々な態様による、ワイヤレス通信のためにＡＰにおいて使用するために構成されたデバイス１９０５のブロック図１９００を示す。デバイス１９０５は、図１、図２、および図１２を参照しながら説明したＡＰ１０５の１つまたは複数の態様の一例であり得る。デバイス１９０５は、ＡＰ受信機１９１０、ＡＰ  ＮＤＰ構成要素１９１５、および／またはＡＰ送信機１９２０を含み得る。デバイス１９０５はまた、プロセッサであるか、またはプロセッサを含み得る。これらの構成要素の各々は互いと通信していることがある。
【０１１０】
[0130]デバイス１９０５は、ＡＰ受信機１９１０、ＡＰ  ＮＤＰ構成要素１９１５、および／またはＡＰ送信機１９２０を通して、本明細書で説明する機能を実施するように構成され得る。たとえば、デバイス１９０５は、ＮＤＰフレームを生成および復号するように構成され得る。
【０１１１】
[0131]デバイス１９０５の構成要素は、適用可能な機能の一部または全部をハードウェアで実施するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１１２】
[0132]ＡＰ受信機１９１０は、パケット、ユーザデータ、および／または様々な情報チャネル（たとえば、制御チャネル、データチャネルなど）に関連する制御情報などの情報を含み得る信号１９４０を受信し得る。いくつかの例では、信号１９４０はＮＤＰフレームである。ＡＰ受信機１９１０は、ＮＤＰフレームを受信するように構成され得る。情報信号１９３０が、ＡＰ  ＮＤＰ構成要素１９１５に、およびデバイス１９０５の他の構成要素に受け渡され得る。
【０１１３】
[0133]ＡＰ  ＮＤＰ構成要素１９１５は、本明細書で説明する構造を使用してＮＤＰフレームを生成し得る。ＡＰ  ＮＤＰ構成要素１９１５は、送信されるべきＮＤＰフレームを符号化するか、または受信されたＮＤＰフレームを復号し得る。
【０１１４】
[0134]ＡＰ送信機１９２０は、デバイス１９０５の他の構成要素から受信された１つまたは複数の信号１９３５を送信し得る。ＡＰ送信機１９２０は、ＮＤＰ  ＣＴＸトリガフレームとＮＤＰブロックＡＣＫ／ＡＣＫフレームとを含むＮＤＰフレームを１つまたは複数の信号１９２５として送信し得る。いくつかの例では、ＡＰ送信機１９２０は、トランシーバ構成要素においてＡＰ受信機１９１０とコロケートされ得る。
【０１１５】
[0135]図２０に、本開示の様々な態様による、ワイヤレス通信のためにＡＰにおいて使用されるデバイス１９０５−ａのブロック図２０００を示す。デバイス１９０５−ａは、図１、図２、および図１２を参照しながら説明したＡＰ１０５の１つまたは複数の態様の一例であり得る。それは、図１９を参照しながら説明したデバイス１９０５の一例でもあり得る。デバイス１９０５−ａは、ＡＰ受信機１９１０−ａ、ＡＰ  ＮＤＰ構成要素１９１５−ａ、および／またはＡＰ送信機１９２０−ａを含み得、それらは、デバイス１９０５の対応する構成要素の例であり得る。デバイス１９０５−ａはプロセッサをも含み得る。これらの構成要素の各々は互いと通信していることがある。ＡＰ  ＮＤＰ構成要素１９１５−ａは、ＡＰ  ＮＤＰエンコーダ２００５と、ＡＰ  ＮＤＰデコーダ２０１０と、ＡＰトリガフレーム構成要素２０１５とを含み得る。
【０１１６】
[0136]ＡＰ受信機１９１０−ａおよびＡＰ送信機１９２０−ａは、それぞれ、図１９のＡＰ受信機１９１０およびＡＰ送信機１９２０の機能を実施し得る。ＡＰ受信機１９１０−ａは、１つまたは複数の信号１９４０−ａを受信し、１つまたは複数の信号１９３０−ａをＡＰ  ＮＤＰ構成要素１９１５−ａに与え得る。ＡＰ  ＮＤＰ構成要素１９１５−ａは、ＮＤＰフレームなど、１つまたは複数の信号１９３５−ａをＡＰ送信機１９２０−ａに与え得、ＡＰ送信機１９２０−ａは、次いで、信号１９３５−ａに基づき得る１つまたは複数の信号１９２５−ａを送信し得る。信号１９４０−ａ、１９３０−ａ、１９３５−ａ、および１９２５−ａは、図１９を参照しながら説明した信号１９４０、１９３０、１９３５、および１９２５の１つまたは複数の態様の例であり得る。
【０１１７】
[0137]ＡＰ  ＮＤＰエンコーダ２００５は、本明細書で説明する方法および構造に従って、１つまたは複数の局のためのＮＤＰフレームを生成し得る。ＡＰトリガフレーム構成要素２０１５は、ＮＤＰ  ＣＴＸフレームの生成を助け得る。ＡＰトリガフレーム構成要素２０１５は他のトリガフレームをも生成し得る。ＡＰ  ＮＤＰデコーダ２０１０は、受信されたＮＤＰフレームを復号し、解釈し得る。
【０１１８】
[0138]図２１を参照すると、ＮＤＰフレームを生成および復号するために構成されたＡＰ１０５−ｃを示す図２１００が示されている。いくつかの態様では、ＡＰ１０５−ｃは、図１、図２、および図１２のＡＰ１０５の一例であり得る。ＡＰ１０５−ｃは、ＡＰプロセッサ２１１０と、ＡＰメモリ２１２０と、（１つまたは複数の）ＡＰトランシーバ２１３０と、ＡＰアンテナ２１４０と、ＡＰ  ＮＤＰ構成要素１９１５−ｂとを含み得る。ＡＰ  ＮＤＰ構成要素１９１５−ｂは、図１９および図２０のＡＰ  ＮＤＰ構成要素１９１５の一例であり得る。いくつかの例では、ＡＰ１０５−ｃはＣＴＸ構成要素２１９０を含み得る。いくつかの例では、ＡＰ１０５−ｃは、ＡＰ通信構成要素２１６０およびネットワーク通信構成要素２１７０の一方または両方をも含み得る。これらの構成要素の各々は、少なくとも１つのバス２１０５を介して、直接または間接的に、互いと通信していることがある。
【０１１９】
[0139]ＡＰメモリ２１２０は、ランダムアクセスメモリ（ＲＡＭ）と読取り専用メモリ（ＲＯＭ）とを含み得る。ＡＰメモリ２１２０はまた、実行されたとき、たとえば、ＮＤＰフレームを符号化および復号するための本明細書で説明する様々な機能をＡＰプロセッサ２１１０に実施させるように構成された命令を含んでいるコンピュータ可読、コンピュータ実行可能ソフトウェア（ＳＷ）コード２１２５を記憶し得る。代替的に、ソフトウェアコード２１２５は、ＡＰプロセッサ２１１０によって直接的に実行可能でないことがあるが、たとえば、コンパイルされ、実行されたとき、コンピュータに本明細書で説明する機能を実施させるように構成され得る。
【０１２０】
[0140]ＡＰプロセッサ２１１０は、インテリジェントハードウェアデバイス、たとえば、中央処理ユニット（ＣＰＵ）、マイクロコントローラ、ＡＳＩＣなどを含み得る。ＡＰプロセッサ２１１０は、（１つまたは複数の）ＡＰトランシーバ２１３０、ＡＰ通信構成要素２１６０、および／またはネットワーク通信構成要素２１７０を通して受信された情報を処理し得る。ＡＰプロセッサ２１１０はまた、ＡＰアンテナ２１４０を介した送信のために（１つまたは複数の）ＡＰトランシーバ２１３０に送られ、ＡＰ通信構成要素２１６０に送られ、および／またはネットワーク通信構成要素２１７０に送られるべき情報を処理し得る。ＡＰプロセッサ２１１０は、単独でまたはＡＰ  ＮＤＰ構成要素１９１５−ｂとともに、ＮＤＰフレームに関係する様々な態様を扱い得る。
【０１２１】
[0141]（１つまたは複数の）ＡＰトランシーバ２１３０は、パケットを変調し、変調されたパケットを送信のためにＡＰアンテナ２１４０に与え、ＡＰアンテナ２１４０から受信されたパケットを復調するように構成されたモデムを含み得る。（１つまたは複数の）ＡＰトランシーバ２１３０は、少なくとも１つの送信機構成要素および少なくとも１つの別個の受信機構成要素として実装され得る。（１つまたは複数の）ＡＰトランシーバ２１３０は、たとえば、図１、図２、および図１２に示されているように、ＡＰアンテナ２１４０を介して、少なくとも１つのワイヤレス局１１０と双方向に通信するように構成され得る。ＡＰ１０５−ｃは、一般に、複数のＡＰアンテナ２１４０（たとえば、アンテナアレイ）を含み得る。ＡＰ１０５−ｃは、ネットワーク通信構成要素２１７０を通してコアネットワーク２１８０と通信し得る。ＡＰ１０５−ｃは、ＡＰ通信構成要素２１６０を使用して、ＡＰ１０５−ｄおよびＡＰ１０５−ｅなど、他のＡＰと通信し得る。
【０１２２】
[0142]図２１のアーキテクチャによれば、ＡＰ１０５−ｃはＡＰ通信管理構成要素２１５０をさらに含み得る。ＡＰ通信管理構成要素２１５０は、図１のＷＬＡＮ１００に示されたような局および／または他のデバイスとの通信を管理し得る。ＡＰ通信管理構成要素２１５０は、１つまたは複数のバス２１０５を介してＡＰ１０５−ｃの他の構成要素の一部または全部と通信していることがある。代替的に、ＡＰ通信管理構成要素２１５０の機能は、（１つまたは複数の）ＡＰトランシーバ２１３０の構成要素として、コンピュータプログラム製品として、および／またはＡＰプロセッサ２１１０の少なくとも１つのコントローラ要素として実装され得る。
【０１２３】
[0143]図２１のアーキテクチャによれば、ＡＰ１０５−ｃはＣＴＸ構成要素２１９０をさらに含み得る。ＣＴＸ構成要素２１９０は、ＮＤＰトリガの形態をとり得るＣＴＸメッセージ１５０５の送信を管理し得る。ＣＴＸ構成要素２１９０は、どの局が、アップリンクマルチユーザＭＩＭＯ方式、またはＵＬ  ＭＵ−ＰＰＤＵ方式などのマルチユーザ直交周波数分割多元接続（ＯＦＤＭＡ）方式に参加し得るかを示すＣＴＸメッセージ１５０５の、１つまたは複数のワイヤレス局１１０へのブロードキャストを管理し得る。
【０１２４】
[0144]ＡＰ１０５−ｃの構成要素は、図１〜図２０関して上記で説明した態様を実装するように構成され得、それらの態様は、簡潔のためにここでは繰り返されないことがある。その上、ＡＰ１０５−ｃの構成要素は、図２５および図２６に関して以下で説明する態様を実装するように構成され得、それらの態様も、簡潔のためにここでは繰り返されないことがある。
【０１２５】
[0145]図２２に、本開示の様々な態様による、ワイヤレス通信のために局において使用するための装置２２０５のブロック図２２００を示す。いくつかの例では、装置２２０５は、図１、図２、および図１２を参照しながら説明したワイヤレス局１１０のうちの１つまたは複数の態様の一例であり得る。装置２２０５はまた、プロセッサであるか、またはプロセッサを含み得る。装置２２０５は、局受信機２２１０、局ＮＤＰ構成要素２２１５、および／または局送信機２２２０を含み得る。これらの構成要素の各々は互いと通信していることがある。
【０１２６】
[0146]装置２２０５は、局受信機２２１０、局ＮＤＰ構成要素２２１５、および／または局送信機２２２０を通して、本明細書で説明する機能を実施するように構成され得る。たとえば、装置２２０５は、ＮＤＰフレームを生成および解釈するように構成され得る。
【０１２７】
[0147]装置２２０５の構成要素は、適用可能な機能の一部または全部をハードウェアで実施するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１２８】
[0148]局受信機２２１０は、パケット、ユーザデータ、および／または様々な情報チャネル（たとえば、制御チャネル、データチャネルなど）に関連する制御情報などの情報を受信し得る。局受信機２２１０は、ＮＤＰフレームであり得る１つまたは複数の信号２２２５を受信するように構成され得る。受信されたＮＤＰフレームなど、情報は、局ＮＤＰ構成要素２２１５に、およびデバイス２２０５の他の構成要素に受け渡され得る。
【０１２９】
[0149]局ＮＤＰ構成要素２２１５は、局受信機２２１０からの１つまたは複数の信号２２３０を受信し得る。１つまたは複数の信号２２３０は、装置２２０５において受信されたＮＤＰフレームに関係し得る。局ＮＤＰ構成要素２２１５は、受信されたＮＤＰフレームを解釈（たとえば、復号）し得る。局ＮＤＰ構成要素２２１５はまた、ＮＤＰフレームを生成し得る。一例では、１つまたは複数の信号２２３０は、局ＮＤＰ構成要素２２１５がＮＤＰフレームを生成することによってそれに応答するＮＤＰ  ＣＴＸフレームである。局ＮＤＰ構成要素２２１５は、ＮＤＰフレームに関係するかまたはＮＤＰフレームであり得る、１つまたは複数の信号２２３５を局送信機２２２０に与え得る。
【０１３０】
[0150]局送信機２２２０は、装置２２０５の他の構成要素から受信された１つまたは複数の信号２２３５を送信し得る。局送信機２２２０は、ＮＤＰフレームまたは他の信号であり得る、１つまたは複数の信号２２４０を送信し得る。いくつかの例では、局送信機２２２０は、トランシーバ構成要素において局受信機２２１０とコロケートされ得る。局送信機２２２０は単一のアンテナを含み得、またはそれは複数のアンテナを含み得る。
【０１３１】
[0151]図２３に、様々な例による、ワイヤレス通信のためにワイヤレス局において使用される装置２２０５−ａのブロック図２３００を示す。装置２２０５−ａは、図１、図２、および図１２を参照しながら説明したワイヤレス局１１０の１つまたは複数の態様の一例であり得る。それは、図２２を参照しながら説明した装置２２０５の一例でもあり得る。装置２２０５−ａは、局受信機２２１０−ａ、局ＮＤＰ構成要素２２１５−ａ、および／または局送信機２２２０−ａを含み得、それらは、装置２２０５の対応する構成要素の例であり得る。装置２２０５−ａはプロセッサをも含み得る。これらの構成要素の各々は互いと通信していることがある。局ＮＤＰ構成要素２２１５−ａは、局ＮＤＰエンコーダ２３０５と、局ＮＤＰデコーダ２３１０と、局トリガフレーム構成要素２３１５とを含み得る。
【０１３２】
[0152]局受信機２２１０−ａおよび局送信機２２２０−ａは、それぞれ、図２２の局受信機２２１０および局送信機２２２０の機能を実施し得る。局受信機２２１０−ａは、１つまたは複数の信号２２２５−ａを受信し、１つまたは複数の信号２２３０−ａを局ＮＤＰ構成要素２２１５−ａに与え得る。局ＮＤＰ構成要素２２１５−ａは、ＮＤＰフレームなど、１つまたは複数の信号２２３５−ａを局送信機２２２０−ａに与え得、局送信機２２２０−ａは、次いで、信号２２３５−ａに基づき得る１つまたは複数の信号２２４０−ａを送信し得る。信号２２２５−ａ、２２３０−ａ、２２３５−ａ、および２２４０−ａは、図２２を参照しながら説明した信号２２２５、２２３０、２２３５、および２２４０の１つまたは複数の態様の例であり得る。
【０１３３】
[0153]局ＮＤＰエンコーダ２３０５は、本明細書で説明する方法および構造に従って、１つまたは複数のＡＰためのＮＤＰフレームを生成し得る。局トリガフレーム構成要素２３１５は、ＮＤＰ  ＣＴＸフレームへの応答を助け得る。ＡＰ  ＮＤＰデコーダ２３１０は、受信されたＮＤＰフレームを復号し、解釈し得る。
【０１３４】
[0154]図２４を参照すると、ＮＤＰフレームを生成および解釈するために構成されたワイヤレス局１１０−ｄを示す図２４００が示されている。ワイヤレス局１１０−ｄは、様々な他の構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、電子リーダーなど含まれるかまたはそれらの一部であり得る。ワイヤレス局１１０−ｄは、モバイル動作を可能にするために、小型バッテリーなどの内部電源を有し得る。ワイヤレス局１１０−ｄは、図１、図２、および図１２のワイヤレス局１１０の一例であり得る。
【０１３５】
[0155]ワイヤレス局１１０−ａは、局プロセッサ２４１０と、局メモリ２４２０と、局トランシーバ２４４０と、局アンテナ２４５０と、局ＮＤＰ構成要素２２１５−ｂとを含み得る。局ＮＤＰ構成要素２２１５−ｂは、図２２および図２３の局ＮＤＰ構成要素２２１５の一例であり得る。これらの構成要素の各々は、少なくとも１つのバス２４０５を介して、直接または間接的に、互いと通信していることがある。
【０１３６】
[0156]局メモリ２４２０はＲＡＭとＲＯＭとを含み得る。局メモリ２４２０は、実行されたとき、ＮＤＰフレームを生成および解釈するための本明細書で説明する様々な機能を局プロセッサ２４１０に実施させるように構成された命令を含んでいるコンピュータ可読、コンピュータ実行可能ソフトウェア（ＳＷ）コード２４２５を記憶し得る。代替的に、ソフトウェアコード２４２５は、局プロセッサ２４１０によって直接的に実行可能でないことがあるが、（たとえば、コンパイルされ、実行されたとき）コンピュータに本明細書で説明する機能を実施させるように構成され得る。
【０１３７】
[0157]局プロセッサ２４１０は、たとえば、ＣＰＵ、マイクロコントローラ、ＡＳＩＣなど、インテリジェントハードウェアデバイスを含み得る。局プロセッサ２４１０は、局トランシーバ２４４０を通して受信された情報、および／または局アンテナ２４５０を介した送信のために局トランシーバ２４４０に送られるべき情報を処理し得る。局プロセッサ２４１０は、単独でまたは局ＮＤＰ構成要素２２１５−ｂとともに、ＮＤＰフレームの様々な態様を扱い得る。
【０１３８】
[0158]局トランシーバ２４４０は、図１、図２、図１２、および図２１中のＡＰ１０５と双方向に通信するように構成され得る。局トランシーバ２４４０は、少なくとも１つの送信機構成要素および少なくとも１つの別個の受信機構成要素として実装され得る。局トランシーバ２４４０は、パケットを変調し、変調されたパケットを送信のために局アンテナ２４５０に与え、局アンテナ２４５０から受信されたパケットを復調するように構成されたモデムを含み得る。ワイヤレス局１１０−ｄは単一のアンテナを含み得るが、ワイヤレス局１１０−ｄが複数の局アンテナ２４５０を含み得る態様があり得る。
【０１３９】
[0159]図２４のアーキテクチャによれば、ワイヤレス局１１０−ｄは局通信管理構成要素２４３０をさらに含み得る。局通信管理構成要素２４３０は、様々なＡＰとの通信を管理し得る。局通信管理構成要素２４３０は、少なくとも１つのバス２４０５を介してワイヤレス局１１０−ｄの他の構成要素の一部または全部と通信しているワイヤレス局１１０−ｄの構成要素であり得る。代替的に、局通信管理構成要素２４３０の機能は、局トランシーバ２４４０の構成要素として、コンピュータプログラム製品として、および／または局プロセッサ２４１０の少なくとも１つのコントローラ要素として実装され得る。
【０１４０】
[0160]ワイヤレス局１１０−ｄは、局ＮＤＰ構成要素２２１５−ｂがＮＤＰブロック確認応答のためのビットマップを作成するのを支援し得るブロックＡＣＫ／ＡＣＫ構成要素２４６０をも含み得る。
【０１４１】
[0161]ワイヤレス局１１０−ｄの構成要素は、図１〜図１８、図２２、および図２３に関して上記で説明した態様を実装するように構成され得、それらの態様は、簡潔のためにここでは繰り返されないことがある。その上、ワイヤレス局１１０−ａの構成要素は、図２５および図２６に関して以下で説明される態様を実装するように構成され得、それらの態様も、簡潔のためにここでは繰り返されないことがある。
【０１４２】
[0162]図２５は、本開示の様々な態様による、ワイヤレス通信のための方法２５００の一例を示すフローチャートである。明快のために、方法２５００について、図１、図２、図１２、図２１、および図２４を参照しながら説明したＡＰ１０５またはワイヤレス局１１０のうちの１つまたは複数の態様、および／あるいは図１９、図２０、図２２、および図２３を参照しながら説明したデバイス１９０５または装置２２０５のうちの１つまたは複数の態様に関して以下で説明する。いくつかの例では、ＡＰ１０５またはワイヤレス局１１０は、以下で説明する機能を実施するようにＡＰ１０５またはワイヤレス局１１０の機能要素を制御するためのコードの１つまたは複数のセットを実行し得る。追加または代替として、ＡＰ１０５またはワイヤレス局１１０は、汎用または専用ハードウェアを使用して、以下で説明する機能のうちの１つまたは複数を実施し得る。
【０１４３】
[0163]ブロック２５０５において、方法２５００は、レガシープリアンブル部分と非レガシー部分とを有する物理レイヤプリアンブルを備えるＮＤＰフレームを生成することを含み得る。ＮＤＰフレームは、本明細書で説明する構造のいずれかを有することを生成していることがある。ブロック２５０５における（１つまたは複数の）動作は、図１９〜図２４を参照しながら説明したＡＰ  ＮＤＰ構成要素１９１５または局ＮＤＰ構成要素２２１５を使用して実施され得る。
【０１４４】
[0164]ＮＤＰフレームは、制御情報を含むように生成され得る。そのような例では、方法２５００は、少なくとも１つのワイヤレス局のための制御情報を決定することをさらに含み、制御情報をＮＤＰフレーム中に含める。すなわち、ＮＤＰフレームは、制御または管理シグナリングを搬送するために使用され得る。制御情報は、第１のＨＥ信号フィールド（ＨＥ−ＳＩＧ−Ａ）、第２のＨＥ信号フィールド（ＨＥ−ＳＩＧ−Ｂ）、または第３のＨＥ信号フィールド（拡張）のうちの１つ中に含められ得る。制御または管理情報は、ＨＥ−ＳＩＧフィールド中に含まれる情報のタイプを示す１つのフィールドを含み得る。
【０１４５】
[0165]ＮＤＰは、機能を実施し、既存のＭＡＣフレームと同じまたは同様の情報を搬送し得る。情報は、ブロードキャストまたはユニキャストされ得、したがって、ＨＥ−ＳＩＧ−Ａ、ＨＥ−ＳＩＧ−Ｂ中、またはＨＥ−ＳＩＧ３中にあり得る。そのような情報は、ＡＣＫ／ＢＡ、トリガフレーム、プローブ要求または応答、キュー局フィードバック、ショートビーコン、電力制御シグナリング、あるいはタイピング調整シグナリングを含み得る。いくつかの例では、ＮＤＰのタイプにかかわらず、送信機識別子または部分識別子と、ＭＡＣアドレスの一部分と、ＡＩＤの一部分と、基本サービスセットの識別子と、ＢＳＳＩＤアドレスの一部分と、送信電力と、部分タイミング同期機能（ＴＳＦ）とを含む情報が含められ得る。
【０１４６】
[0166]方法２５００の例では、ＮＤＰフレームを生成することは、レガシーショートトレーニングフィールド（Ｌ−ＳＴＦ）、レガシーロングトレーニングフィールド（Ｌ−ＬＴＦ）、またはレガシー信号フィールド（Ｌ−ＳＩＧ）のうちの１つまたは複数を含むようにレガシー部分を生成することをさらに含む。
【０１４７】
[0167]いくつかの例では、非レガシー部分および拡張部分は高効率ＨＥ部分である。ＨＥ部分は、本明細書で説明する構造およびサブフレームのいずれかを有し得る。方法２５００のいくつかの例では、ＮＤＰフレームを生成することは、繰り返しレガシー信号（ＲＬ−ＳＩＧ）フィールド、ＨＥ−ＳＩＧ−Ａ、ＨＥ−ＳＩＧ−Ｂ、ＨＥショートトレーニングフィールド（ＨＥ−ＳＴＦ）、ＨＥロングトレーニングフィールド（ＨＥ−ＬＴＦ）、または拡張部分のうちの１つまたは複数を含むように非レガシー部分を生成することを含む。
【０１４８】
[0168]いくつかの例では、非レガシー部分を生成することは、レガシープリアンブル部分と同じコンテンツの少なくとも一部を含むようにＲＬ−ＳＩＧフィールドを生成することをさらに含む。いくつかの例では、非レガシー部分を生成することは、物理レイヤコンバージェンスプロトコル（ＰＬＣＰ）プロトコルデータユニット（ＰＬＤＵ）のフォーマットに関係する情報を含むようにＨＥ−ＳＩＧ−Ａを生成することをも含む。
【０１４９】
[0169]非レガシー部分を生成することは、動作指示またはＮＤＰのフォーマットに関係する情報のうちの少なくとも１つを含むようにＨＥ−ＳＩＧ−Ｂを生成することをも含み得る。動作指示または情報は、フレームが、ペイロードをもつ通常ＰＰＤＵフレームであるのかＮＤＰであるのかを、受信側（たとえば、受信側局）に通知し得る。動作指示または情報はまた、ＮＤＰの２つ以上の構造が可能にされる場合、ＮＤＰがどんな構造を有するかに関して受信側に通知し得る。動作指示または情報は、ＨＥ−ＳＩＧ−ＡまたはＨＥ−ＳＩＧ−Ｂ中の指示（たとえば、１つまたは複数のビット）、Ｌ−ＳＩＧ持続時間フィールド、あるいは拡張中の指示のうちの１つまたは複数によって与えられ得る。別の例では、受信側は、繰り返されたＬ−ＳＩＧの位相を検出することに基づいて、受信されたフレームがＮＤＰフレームであると解釈し得る。
【０１５０】
[0170]別の例では、ＮＤＰフレームを生成することは、ＨＥ−ＳＩＧ−Ｂの長さを識別するインジケータを生成することをさらに含む。ＨＥ−ＳＩＧ−Ａはインジケータを含み得る。いくつかの例では、ＨＥ−ＳＩＧ−ＡまたはＨＥ−ＳＩＧ−Ｂのうちの１つまたは複数は復号情報を備える。ＮＤＰの復号のためのシグナリングは、ＨＥ−ＳＩＧ−ＡまたはＨＥ−ＳＩＧ−Ｂのうちの１つまたは複数中に含まれ得る。復号情報は、（ＮＤＰの長さが可変であり得る例ではＮＤＰの長さ、ＨＥ−ＳＩＧ−Ｂフィールドの長さ、ＨＥ−ＳＩＧ−Ｂの変調およびコーディング方式、ＮＤＰの総帯域幅、あるいはある受信側局への各局ごとのセクションのサブチャネルまたはストリーム割振りを含み得る。各ＳＩＧフィールドは、情報の完全性を検証するためのＣＲＣフィールドをも含み得る。
【０１５１】
[0171]ブロック２５１０において、方法２５００は、ＮＤＰフレームを送信することを含み得る。ブロック２５１０における（１つまたは複数の）動作は、図１９〜図２４を参照しながら説明したＡＰ送信機１９２０、トランシーバ２１３０、局送信機２２２０、またはトランシーバ２１３０を使用して実施され得る。いくつかの例では、ＮＤＰフレームを送信することは、ＨＥ−ＳＩＧ−ＡとＨＥ−ＳＩＧ−Ｂとをブロードキャストすることをさらに含み、ここにおいて、ＨＥ−ＳＩＧ−ＡおよびＨＥ−ＳＩＧ−Ｂは２つまたはそれ以上の局のための情報を備える。別の例では、ＮＤＰフレームを送信することは、ＮＤＰを複数の受信側局に送信することと、ＨＥ−ＳＴＦ、ＨＥ−ＬＴＦ、または拡張のうちの少なくとも１つをユニキャストすることと、ここにおいて、ＨＥ部分が、受信側局の各々のための異なるＨＥ−ＳＴＦ、ＨＥ−ＬＴＦ、または拡張を備える、をさらに含む。いくつかの例では、ユニキャストすることは、各受信側局のための固有のサブバンドまたは各受信側局のための固有の空間ストリームのうちの１つ上でＨＥ−ＳＴＦ、ＨＥ−ＬＴＦ、または拡張のうちの少なくとも１つを送信することをさらに含む。
【０１５２】
[0172]いくつかの例では、ＮＤＰフレームを送信することは、複数のレガシープリアンブル部分、２つまたはそれ以上の２０メガヘルツ（ＭＨｚ）チャネルを備える帯域幅の２０ＭＨｚチャネルごとに１つのレガシープリアンブル部分を送信することをさらに含む。非レガシー部分は、２つまたはそれ以上の２０ＭＨｚチャネルにわたって送信され得る。
【０１５３】
[0173]方法２５００の別の例は、トリガフレームを受信することを含む。ＮＤＰフレームを送信することは、受信されたトリガフレームに応答し得る。
【０１５４】
[0174]いくつかの例では、非レガシー部分を生成することは、ＨＥ−ＳＴＦ、ＨＥ−ＬＴＦ、または拡張のうちの１つまたは複数を生成することと、トリガフレームにおいて定義された送信パラメータに従って非レガシー部分をフォーマットすることとからなる。いくつかの例では、非レガシー部分を生成することは、ＮＤＰフレームをＮＤＰフレームであるとして識別するＮＤＰインジケータを生成することをさらに含む。ＮＤＰインジケータは、ＨＥ−ＳＩＧ−Ａ、ＨＥ−ＳＩＧ−Ｂ、または拡張のうちの１つ中に含まれ得る。
【０１５５】
[0175]いくつかの例では、ＮＤＰフレームはクリアツートランスミット（ＣＴＸ）メッセージである。ＣＴＸメッセージは、ＣＴＸメッセージの受信側からの即時ＮＤＰ応答を引き起こし得る。別の例では、ＮＤＰフレームはＮＤＰブロックＡＣＫ／ＡＣＫフレームである。
【０１５６】
[0176]したがって、方法２５００はワイヤレス通信を提供し得る。方法２５００は一実装形態にすぎないこと、および方法２５００の動作は、他の実装形態が可能であるように、並べ替えられるかまたは場合によっては変更され得ることに留意されたい。
【０１５７】
[0177]図２６は、本開示の様々な態様による、ワイヤレス通信のための方法２６００の一例を示すフローチャートである。明快のために、方法２６００について、図１、図２、図１２、図２１、および図２４を参照しながら説明したＡＰ１０５またはワイヤレス局１１０のうちの１つまたは複数の態様、および／あるいは図１９、図２０、図２２、および図２３を参照しながら説明した装置のうちの１つまたは複数の態様に関して以下で説明する。いくつかの例では、ＡＰ１０５またはワイヤレス局１１０は、以下で説明する機能を実施するようにＡＰ１０５またはワイヤレス局１１０の機能要素を制御するためのコードの１つまたは複数のセットを実行し得る。追加または代替として、ＡＰ１０５またはワイヤレス局１１０は、汎用または専用ハードウェアを使用して、以下で説明する機能のうちの１つまたは複数を実施し得る。
【０１５８】
[0178]ブロック２６０５において、方法２６００は、ＮＤＰのレガシープリアンブル部分を決定することを含む。方法２６００は、ブロック２６１０において、ＲＬ−ＳＩＧフィールドを決定することを含む。方法２６００はまた、ブロック２６１５において、ＨＥ−ＳＩＧ−Ａフィールドを決定することを含む。レガシープリアンブル部分、ＲＬ−ＳＩＧ、およびＨＥ−ＳＩＧ−Ａは、本明細書で説明する詳細に従って決定または生成され得る。一例では、レガシープリアンブル部分、ＲＬ−ＳＩＧ、およびＨＥ−ＳＩＧ−ＡのフィールドのみがＮＤＰフレーム中に含まれ得る。他の例示的なＮＤＰフレームでは、他のフィールドが含まれる。本明細書で使用する、フィールドを決定することは、そのフィールドのための情報を生成すること、またはフィールドを生成することを含み得る。
【０１５９】
[0179]ブロック２６２０において、方法２６００は、ＨＥ−ＳＩＧ−ＢフィールドがＮＤＰフレーム中に含まれることになるかどうかを決定する。そうである場合、方法２６００はブロック２６３０への経路２６２５をたどり、ブロック２６３０において、方法２６００はＨＥ−ＳＩＧ−Ｂを決定する。方法２６００がＨＥ−ＳＩＧ−Ｂを含めることにならない場合、方法２６００はブロック２６４０への経路２６３５をたどる。
【０１６０】
[0180]ブロック２６４０において、方法２６００は、局ごとの部分がＮＤＰフレーム中に含まれることになるかどうかを決定する。そうである場合、方法２６００はブロック２６５０への経路２６４５をたどり、ブロック２６５０において、方法２６００は局ごとの部分を決定する。方法２６００がＨＥ−ＳＩＧ−Ｂを含めることにならない場合、方法２６００はブロック２６６０への経路２６５５をたどる。
【０１６１】
[0181]ブロック２６６０において、方法２６００は、ＮＤＰがトリガフレームに応答するかどうかを決定する。そうである場合、方法２６００はブロック２６７０への経路２６６５をたどり、ブロック２６７０において、方法２６００は、トリガフレーム中に含まれていた情報がＮＤＰ中で繰り返されたかどうかを検査する。いくつかの例では、繰り返された情報の全部または一部は、ＮＤＰ中で削除されるか、またはＮＤＰ中に含められないことがある。ＮＤＰがトリガフレームに応答しない場合、方法２６００はブロック２６８０への経路２６７５をたどる。
【０１６２】
[0182]ブロック２６８０において、方法２６００は、ＮＤＰフレームが複数の受信側に送信されることになるかどうかを決定する。そうである場合、方法２６００はブロック２６９０への経路２６８５をたどり、ブロック２６９０において、方法２６００は、帯域幅または空間ストリーム（ＳＳ）に従ってＮＤＰを送信する。たとえば、方法２６００は、８０ＭＨｚ上でＮＤＰフレームを送信し得、ここにおいて、ＮＤＰフレームのいくつかの部分は２０ＭＨｚチャネル上で繰り返される。ＮＤＰフレームが複数の受信側に送信されることにならない場合、方法２６００は、単一の空間ストリームまたはチャネル上でＮＤＰをただ送信し得る。もちろん、いくつかの例では、ＮＤＰフレームは、ＮＤＰフレームのための受信側の数にかかわらず、２つ以上の空間ストリームまたはチャネル上で送信され得る。
【０１６３】
[0183]場合によっては、他のフィールド（たとえば、ＨＥ−ＳＩＧ−ＡまたはＨＥ−ＳＩＧ−Ｂ）のフォーマットおよびコンテンツは、他のフィールド（たとえば、ＨＥ−ＳＩＧ−Ｂまたは局ごとの部分）が含まれることになるかどうかに依存し得る。そのような例では、方法２６００は、含まれるフィールドを生成する前に、どのフィールドが含まれることになるかを決定し得る。
【０１６４】
[0184]図２７は、本開示の様々な態様による、ワイヤレス通信のための方法２７００の一例を示すフローチャートである。明快のために、方法２７００について、図１、図２、図１２、図２１、および図２４を参照しながら説明したＡＰ１０５またはワイヤレス局１１０のうちの１つまたは複数の態様、および／あるいは図１９、図２０、図２２、および図２３を参照しながら説明したデバイス１９０５または装置２２０５のうちの１つまたは複数の態様に関して以下で説明する。いくつかの例では、ＡＰ１０５またはワイヤレス局１１０は、以下で説明する機能を実施するようにＡＰ１０５またはワイヤレス局１１０の機能要素を制御するためのコードの１つまたは複数のセットを実行し得る。追加または代替として、ＡＰ１０５またはワイヤレス局１１０は、汎用または専用ハードウェアを使用して、以下で説明する機能のうちの１つまたは複数を実施し得る。
【０１６５】
[0185]ブロック２７０５において、方法２７００は、レガシープリアンブル部分と、非レガシー部分と、拡張部分とを有する物理レイヤプリアンブルを備えるＮＤＰフレームを生成することを含み得、ここにおいて、拡張部分は、ＨＥ信号情報またはパディング波形のうちの１つまたは複数を含む。ＮＤＰフレームは、本明細書で説明する構造のいずれかを有することを生成していることがある。ブロック２７０５における（１つまたは複数の）動作は、図１９〜図２４を参照しながら説明したＡＰ  ＮＤＰ構成要素１９１５または局ＮＤＰ構成要素２２１５を使用して実施され得る。
【０１６６】
[0186]ＮＤＰフレームは、制御情報を含むように生成され得る。そのような例では、方法２７００は、少なくとも１つの局のための制御情報を決定することをさらに含み、制御情報をＮＤＰフレーム中に含める。すなわち、ＮＤＰフレームは、制御または管理シグナリングを搬送するために使用され得る。制御情報は、第１のＨＥ信号フィールド（ＨＥ−ＳＩＧ−Ａ）、第２のＨＥ信号フィールド（ＨＥ−ＳＩＧ−Ｂ）、または第３のＨＥ信号フィールド／拡張部分のうちの１つ中に含められ得る。制御または管理情報は、ＨＥ−ＳＩＧフィールド中に含まれる情報のタイプを示す１つのフィールドを含み得る。
【０１６７】
[0187]方法２７００の例では、ＮＤＰフレームを生成することは、レガシーショートトレーニングフィールド（Ｌ−ＳＴＦ）、レガシーロングトレーニングフィールド（Ｌ−ＬＴＦ）、またはレガシー信号フィールド（Ｌ−ＳＩＧ）のうちの１つまたは複数を含むようにレガシー部分を生成することをさらに含む。
【０１６８】
[0188]いくつかの例では、非レガシー部分は高効率（ＨＥ）部分である。ＨＥ部分は、本明細書で説明する構造およびサブフレームのいずれかを有し得る。方法２７００のいくつかの例では、ＮＤＰフレームを生成することは、繰り返しレガシー信号（ＲＬ−ＳＩＧ）フィールド、ＨＥ−ＳＩＧ−Ａ、ＨＥ−ＳＩＧ−Ｂ、ＨＥショートトレーニングフィールド（ＨＥ−ＳＴＦ）、ＨＥロングトレーニングフィールド（ＨＥ−ＬＴＦ）、または拡張のうちの１つまたは複数を含むように非レガシー部分を生成することを含む。
【０１６９】
[0189]いくつかの例では、非レガシー部分を生成することは、レガシープリアンブル部分と同じコンテンツの少なくとも一部を含むようにＲＬ−ＳＩＧフィールドを生成することをさらに含む。いくつかの例では、非レガシー部分を生成することは、物理レイヤコンバージェンスプロトコル（ＰＬＣＰ）プロトコルデータユニット（ＰＬＤＵ）のフォーマットに関係する情報を含むようにＨＥ−ＳＩＧ−Ａを生成することをも含む。
【０１７０】
[0190]ブロック２７１０において、方法２７００は、ＮＤＰフレームを送信することを含み得る。ブロック２７１０における（１つまたは複数の）動作は、図１９〜図２４を参照しながら説明したＡＰ送信機１９２０、トランシーバ２１３０、局送信機２２２０、またはトランシーバ２１３０を使用して実施され得る。いくつかの例では、ＮＤＰフレームを送信することは、ＨＥ−ＳＩＧ−ＡとＨＥ−ＳＩＧ−Ｂとをブロードキャストすることをさらに含み、ここにおいて、ＨＥ−ＳＩＧ−ＡおよびＨＥ−ＳＩＧ−Ｂは２つまたはそれ以上の局のための情報を備える。別の例では、ＮＤＰフレームを送信することは、ＮＤＰを複数の受信側局に送信することと、ＨＥ−ＳＴＦ、ＨＥ−ＬＴＦ、または拡張のうちの少なくとも１つをユニキャストすることと、ここにおいて、ＨＥ部分が、受信側局の各々のための異なるＨＥ−ＳＴＦ、ＨＥ−ＬＴＦ、または拡張を備える、をさらに含む。いくつかの例では、ユニキャストすることは、各受信側局のための固有のサブバンドまたは各受信側局のための固有の空間ストリームのうちの１つ上でＨＥ−ＳＴＦ、ＨＥ−ＬＴＦ、または拡張のうちの少なくとも１つを送信することをさらに含む。
【０１７１】
[0191]いくつかの例では、ＮＤＰフレームを送信することは、複数のレガシープリアンブル部分、２つまたはそれ以上の２０メガヘルツ（ＭＨｚ）チャネルを備える帯域幅の２０ＭＨｚチャネルごとに１つのレガシープリアンブル部分を送信することをさらに含む。非レガシー部分は、２つまたはそれ以上の２０ＭＨｚチャネルにわたって送信され得る。
【０１７２】
[0192]したがって、方法２７００はワイヤレス通信を提供し得る。方法２７００は一実装形態にすぎないこと、および方法２７００の動作は、他の実装形態が可能であるように、並べ替えられるかまたは場合によっては変更され得ることに留意されたい。
【０１７３】
[0193]いくつかの例では、方法２５００、２６００、および２７００のうちの２つまたはそれ以上からの態様が組み合わせられ得る。方法２５００、２６００、および２７００は例示的な実装形態にすぎないこと、および方法２５００〜方法２７００の動作は、他の実装形態が可能であるように、並べ替えられるかまたは場合によっては変更され得ることに留意されたい。
【０１７４】
[0194]本明細書で開示するようなＮＤＰは、たとえば、上記で説明したようなＨＥ送信において使用され得るサウンディングシーケンス中で使用され得る。ＨＥサウンディングは、いくつかの展開では、レガシー通信中に存在しないことがあるいくつかのパラメータ（たとえば、いくつかのＣＳＩパラメータ）を利用し得、いくつかの例では、そのようなパラメータは、アップリンクＭＵモード動作を使用してワイヤレス局によって与えられ得る。いくつかの例では、サウンディングがＨＥ局のためであるとき、ＮＤＰ告知（ＮＤＰＡ）とビーム微細化プロトコル（ＢＲＰ：beam refinement protocol）機能とをＨＥ  ＮＤＰＡにマージすることを通して効率性が得られ得、ＨＥ  ＮＤＰＡは、ＨＥサウンディングプロシージャのために有用であるＣＳＩパラメータを搬送し得る。そのようなＣＳＩパラメータは、たとえば、量子化レベルを含み得、ワイヤレス局がＣＳＩを報告すべきトーンを示し得る。この点について、超高スループット（ＶＨＴ）ＮＤＰＡであり得る、ＢＲＰ機能とマージされたＮＤＰＡは、ＨＥサウンディングプロシージャを示す情報を含み得る。ＮＤＰＡフレームを受信するワイヤレス局は、ＨＥ部分を有するＮＤＰフレームを受信したことに基づいて、ＮＤＰＡフレームがＨＥサウンディングプロシージャに関すると暗黙的に決定し得る。いくつかの場合には、ＮＤＰＡは、無効、不適当、または偽値であることが受信ワイヤレス局によって知られている第１のＡＩＤを含み、それにより、ＮＰＤＡをＨＥ  ＮＤＰＡとして識別し得る。追加または代替として、ＮＰＤＡは、受信ワイヤレス局がそのＮＰＤＡをＨＥ  ＮＤＰＡとして決定することを助けるための１つまたは複数のビット（たとえば、いくつかの実装形態では、シングルビット）を含み得る。
【０１７５】
[0195]このＨＥ  ＮＤＰＡは、図１９〜図２４を参照しながら説明したＡＰ送信機１９２０、トランシーバ２１３０、局送信機２２２０、またはトランシーバ２１３０によって送信され得、いくつかの場合には、ＮＤＰフレームより前に送信される。様々な例によれば、ＮＤＰは、たとえば、上記で説明したような様式で、サウンディング応答のためのＵＬ  ＭＵリソースの割振りまたはＣＳＩのＳＴＡごとのパラメータ表示に関する情報を含み得る。
【０１７６】
[0196]添付の図面に関して上記に記載された詳細な説明は、例について説明しており、実装され得るまたは特許請求の範囲内に入る例のみを表すものではない。「例」という語は、この説明で使用されるとき、「例、事例、または例示の働きをすること」を意味し、「好ましい」または「他の例よりも有利な」を意味しない。詳細な説明は、説明した技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０１７７】
[0197]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１７８】
[0198]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１７９】
[0199]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１８０】
[0200]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１８１】
[0201]本開示についての以上の説明は、当業者が本開示を作成または使用することができるように与えたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
【図１】
2018521530.tif 000003
【図２】
2018521530.tif 000004
【図３】
2018521530.tif 000005
【図４】
2018521530.tif 000006
【図５Ａ】
2018521530.tif 000007
【図５Ｂ】
2018521530.tif 000008
【図５Ｃ】
2018521530.tif 000009
【図６】
2018521530.tif 000010
【図７】
2018521530.tif 000011
【図８】
2018521530.tif 000012
【図９】
2018521530.tif 000013
【図１０】
2018521530.tif 000014
【図１１】
2018521530.tif 000015
【図１２】
2018521530.tif 000016
【図１３】
2018521530.tif 000017
【図１４】
2018521530.tif 000018
【図１５】
2018521530.tif 000019
【図１６】
2018521530.tif 000020
【図１７】
2018521530.tif 000021
【図１８】
2018521530.tif 000022
【図１９】
2018521530.tif 000023
【図２０】
2018521530.tif 000024
【図２１】
2018521530.tif 000025
【図２２】
2018521530.tif 000026
【図２３】
2018521530.tif 000027
【図２４】
2018521530.tif 000028
【図２５】
2018521530.tif 000029
【図２６】
2018521530.tif 000030
【図２７】
2018521530.tif 000031
【国際調査報告】
2018521530.tif 000032
2018521530.tif 000033
2018521530.tif 000034